(57)【要約】【課題】コンテンツと、該コンテンツに付与されたキーワードと、該キーワードが付与された他のコンテンツとを同時に表示し、関連するコンテンツを次々と閲覧する。【解決手段】コンテンツ表示処理装置１は、第１のコンテンツを表示する指示を与える第１コンテンツ取得部１２１と、第１のコンテンツに付与されたキーワードを表示する指示を与えるキーワードリスト生成部１２３と、該表示されているキーワードが付与された第２のコンテンツを表示する指示を与える第２コンテンツリスト生成部１２５とを備える。これにより、表示されたキーワードをユーザが選択したとき、該選択されたキーワードが付与された第２のコンテンツを表示し、第２のコンテンツをユーザが選択したとき、該第２のコンテンツを第１のコンテンツとして表示し、さらに、該第１のコンテンツに付与されたキーワードを表示することができる。【選択図】図１
2009025979.tif 000002
【特許請求の範囲】
【請求項１】
第１のコンテンツを表示部に表示する指示を与える第１コンテンツ表示指示手段と、
第１のコンテンツに付与された１または複数のキーワードをそれぞれユーザが選択可能に上記第１のコンテンツと同時に上記表示部に表示する指示を与えるキーワード表示指示手段と、
上記キーワード表示指示手段によって表示されているキーワードが付与された１または複数の第２のコンテンツをそれぞれユーザが選択可能に上記表示部に表示する指示を与える第２コンテンツ表示指示手段とを備え、
上記キーワード表示指示手段が上記キーワードのユーザによる選択を検出したとき、上記第２コンテンツ表示指示手段は、該選択されたキーワードが付与された１または複数の第２のコンテンツによって表示を更新する指示を与え、
上記第２コンテンツ表示指示手段が上記第２のコンテンツのユーザによる選択を検出したとき、上記第１コンテンツ表示指示手段は、該選択された第２のコンテンツを第１のコンテンツとして表示する指示を与えるとともに、上記キーワード表示指示手段は、該表示された第１のコンテンツに付与された１または複数のキーワードによって表示を更新する指示を与えることを特徴とするコンテンツ表示処理装置。
【請求項２】
上記第２のコンテンツは、上記第１のコンテンツに含まれ、上記第２コンテンツとして予め設定されているデータであることを特徴とする請求項１に記載のコンテンツ表示処理装置。
【請求項３】
上記キーワード表示指示手段により表示する表示領域を、上記第１コンテンツ表示指示手段により表示する表示領域に並べて配置し、
上記第２コンテンツ表示指示手段により表示する表示領域を、上記第１コンテンツ表示指示手段により表示する表示領域に並べて、かつ、上記キーワード表示指示手段により表示する表示領域とは重ならない位置に配置することを特徴とする請求項１または２に記載のコンテンツ表示処理装置。
【請求項４】
上記キーワード表示指示手段が、上記第１のコンテンツに付与された１または複数のキーワードとともに、所定のキーワードを表示することを特徴とする請求項１から３のいずれか１項に記載のコンテンツ表示処理装置。
【請求項５】
上記キーワードをユーザが選択するための第１入力操作手段と、
上記第２のコンテンツをユーザが選択するための第２入力操作手段と、
上記選択された第２のコンテンツを第１のコンテンツとして表示することをユーザが決定するための第３入力操作手段とを備えることを特徴とする請求項１から４のいずれか１項に記載のコンテンツ表示処理装置。
【請求項６】
上記キーワード表示指示手段が、所定のタイミング毎に上記キーワードの選択を切り替える指示を与え、
上記第２コンテンツ表示指示手段が、上記選択されたキーワードが付与された１または複数の第２のコンテンツによって表示を更新する指示を与えることを特徴とするコンテンツ表示処理装置。
【請求項７】
第１のコンテンツを表示部に表示する指示を与える第１コンテンツ表示指示手段と、
第１のコンテンツに付与された１または複数の第１のキーワードをそれぞれユーザが選択可能に上記第１のコンテンツと同時に上記表示部に表示する指示を与える第１キーワード表示指示手段と、
上記第１キーワード表示指示手段によって表示されている第１のキーワードと関連付けられている１または複数の第２のキーワードをそれぞれユーザが選択可能に上記表示部に表示する指示を与える第２キーワード表示指示手段と、
上記第１キーワード表示指示手段によって表示されている第１のキーワードおよび上記第２キーワード表示指示手段によって表示されている第２のキーワードが付与された、１または複数の第２のコンテンツをそれぞれユーザが選択可能に上記表示部に表示する指示を与える第２コンテンツ表示指示手段とを備え、
上記第１キーワード表示指示手段が上記第１のキーワードのユーザによる選択を検出したとき、上記第２キーワード表示指示手段は、該選択された第１のキーワードに関連する１または複数の第２のキーワードによって表示を更新する指示を与え、
上記第２キーワード表示指示手段が上記第２のキーワードのユーザによる選択を検出したとき、上記第２コンテンツ表示指示手段は、上記選択された第１のキーワードおよび上記選択された第２のキーワードが付与された、１または複数の第２のコンテンツによって表示を更新する指示を与え、
上記第２コンテンツ表示指示手段が上記第２のコンテンツのユーザによる選択を検出したとき、上記第１コンテンツ表示指示手段は、該選択された第２のコンテンツを第１のコンテンツとして表示する指示を与えるとともに、上記第１キーワード表示指示手段は、該表示された第１のコンテンツに付与された１または複数の第１のキーワードによって表示を更新する指示を与えることを特徴とするコンテンツ表示処理装置。
【請求項８】
上記第１キーワード表示指示手段により表示する表示領域を、上記第１コンテンツ表示指示手段により表示する表示領域に並べて配置し、
上記第２キーワード表示指示手段により表示する表示領域を、上記第１コンテンツ表示指示手段により表示する表示領域に並べて配置し、
上記第２コンテンツ表示指示手段により表示する表示領域を、上記第１コンテンツ表示指示手段により表示する表示領域に並べて配置し、
上記第１キーワード表示指示手段により表示する表示領域と上記第２キーワード表示指示手段により表示する表示領域と上記第２コンテンツ表示指示手段により表示する表示領域とを互いに重ならない位置に配置することを特徴とする請求項７に記載のコンテンツ表示処理装置。
【請求項９】
第１のコンテンツを表示部に表示する指示を与える第１コンテンツ表示指示ステップと、
第１のコンテンツに付与された１または複数のキーワードをそれぞれユーザが選択可能に上記第１のコンテンツと同時に上記表示部に表示する指示を与えるキーワード表示指示ステップと、
上記キーワード表示指示ステップによって表示されているキーワードが付与された１または複数の第２のコンテンツをそれぞれユーザが選択可能に上記表示部に表示する指示を与える第２コンテンツ表示指示ステップとを含み、
上記第２コンテンツ表示指示ステップにて、該選択されたキーワードが付与された１または複数の第２のコンテンツによって表示を更新する指示を与え、
上記第１コンテンツ表示指示ステップにて、該選択された第２のコンテンツを第１のコンテンツとして表示する指示を与えるとともに、上記キーワード表示指示ステップにて、該表示された第１のコンテンツに付与された１または複数のキーワードによって表示を更新する指示を与えることを特徴とするコンテンツ表示処理方法。
【請求項１０】
請求項１から８のいずれか１項に記載のコンテンツ表示処理装置を動作させるプログラムであって、コンピュータを上記の各手段として機能させるためのプログラム。
【請求項１１】
請求項１０に記載のプログラムを記録したコンピュータ読み取り可能な記録媒体。
【発明の詳細な説明】
【技術分野】
【０００１】
本発明は、ユーザ操作により関連するコンテンツを表示するコンテンツ表示処理装置、コンテンツ表示処理方法、プログラム、およびプログラムを記録したコンピュータ読み取り可能な記録媒体に関するものである。
【背景技術】
【０００２】
近年、静止画像や動画像などのコンテンツを表示するコンテンツ表示処理装置が普及している。特に、インターネットを利用したＷｅｂサービス、あるいは、デジタルテレビ放送などの普及に伴い、ネットワークや放送を介して外部のサーバからコンテンツを取得し、取得したコンテンツを表示するコンテンツ表示処理装置が利用されるようになっている。その一例としては、ユーザの選択操作に応じて、外部のサーバから動画像を取得して表示する、ＶＯＤ（Video On Demand）を実現するコンテンツ表示処理装置が挙げられる。
【０００３】
ところで、このようなコンテンツ表示処理装置を利用するにあたり、関連あるコンテンツを次々と閲覧したい、あるいは、あるコンテンツを閲覧している途中で一時的に別のコンテンツを閲覧したい、などの要望がある。例えば、ある新聞記事を閲覧しているときに、その記事で取り扱われている人物に関する別の記事を閲覧したい場合などがある。
【０００４】
ここで、関連するコンテンツを閲覧するための方法として、ユーザが選択した電子記事の文章や見出しなどに含まれるキーワードを基に、関連する他の電子記事を検索してリスト表示する方法が開示されている（特許文献１参照）。
【０００５】
また、関連とする情報が複数存在する場合に、階層化された情報項目を、表示画面切り替え用のタブによってユーザが選択することにより、目的とする情報を容易に見つけ出せるようにする方法が開示されている（特許文献２参照）。
【０００６】
また、ユーザが指定したＷｅｂページに掲載されている情報と同一分野の情報が掲載されているＷｅｂページとを同一のグループに分類し、複数の該グループ間の関連度を算出した結果をデータベースとして自動作成することにより、ユーザが興味のある分野の情報を掲載するグループのＷｅｂページおよび、関連するグループのＷｅｂページを効率的に閲覧する方法が開示されている（特許文献３参照）。
【特許文献１】特開２００３−５８５６８号公報（公開日：平成１５年２月２８日）
【特許文献２】特開２００５−１１１０７号公報（公開日：平成１７年１月１３日）
【特許文献３】特開２００２−３０４４０２号公報（公開日：平成１４年１０月１８日）
【発明の開示】
【発明が解決しようとする課題】
【０００７】
しかしながら、特許文献１に開示されている方法によれば、関連記事を検索することはできるが、ユーザが選択した電子記事の文章や見出しなどに含まれるキーワードが複数存在する場合、リスト表示される関連記事が、どのキーワードに関連する記事であるのかがユーザにわかりづらいため、ユーザの利便性が損なわれる場合がある。
【０００８】
また、特許文献２に開示されている方法によれば、情報項目が表示された表示画面切り替え用のタブで選択することで、目的とする情報を容易に見つけ出すことはできるが、このタブはあらかじめ固定的に準備されるものである。そのため、現在閲覧している情報に関連するタブ以外のタブまで表示される場合があり、ユーザの利便性が損なわれる場合がある。
【０００９】
また、特許文献３に開示されている方法によれば、Ｗｅｂページをグループ化することにより、ユーザが興味のある分野のＷｅｂページを見つけ出すことはできるが、ハイパーリンクが張られていないＷｅｂページはグループ化の対象とならない。
【００１０】
本発明は、上記の問題点に鑑みてなされたものであり、その目的は、ユーザが閲覧しているコンテンツと、該コンテンツに付与されたキーワードと、該キーワードが付与された他のコンテンツとを、ユーザが容易に確認しながら関連するコンテンツを次々に閲覧することができるコンテンツ表示処理装置、コンテンツ表示処理装置の制御方法、制御プログラム、およびプログラムを記録したコンピュータ読み取り可能な記録媒体を提供することにある。
【課題を解決するための手段】
【００１１】
上記課題を解決するために、本発明に係るコンテンツ表示処理装置は、第１のコンテンツを表示部に表示する指示を与える第１コンテンツ表示指示手段と、第１のコンテンツに付与された１または複数のキーワードをそれぞれユーザが選択可能に上記第１のコンテンツと同時に上記表示部に表示する指示を与えるキーワード表示指示手段と、上記キーワード表示指示手段によって表示されているキーワードが付与された１または複数の第２のコンテンツをそれぞれユーザが選択可能に上記表示部に表示する指示を与える第２コンテンツ表示指示手段とを備え、上記キーワード表示指示手段が上記キーワードのユーザによる選択を検出したとき、上記第２コンテンツ表示指示手段は、該選択されたキーワードが付与された１または複数の第２のコンテンツによって表示を更新する指示を与え、上記第２コンテンツ表示指示手段が上記第２のコンテンツのユーザによる選択を検出したとき、上記第１コンテンツ表示指示手段は、該選択された第２のコンテンツを第１のコンテンツとして表示する指示を与えるとともに、上記キーワード表示指示手段は、該表示された第１のコンテンツに付与された１または複数のキーワードによって表示を更新する指示を与えることを特徴としている。
【００１２】
また、本発明に係るコンテンツ表示処理方法は、第１のコンテンツを表示部に表示する指示を与える第１コンテンツ表示指示ステップと、第１のコンテンツに付与された１または複数のキーワードをそれぞれユーザが選択可能に上記第１のコンテンツと同時に上記表示部に表示する指示を与えるキーワード表示指示ステップと、上記キーワード表示指示ステップによって表示されているキーワードが付与された１または複数の第２のコンテンツをそれぞれユーザが選択可能に上記表示部に表示する指示を与える第２コンテンツ表示指示ステップとを含み、上記第２コンテンツ表示指示ステップにて、該選択されたキーワードが付与された１または複数の第２のコンテンツによって表示を更新する指示を与え、
上記第１コンテンツ表示指示ステップにて、該選択された第２のコンテンツを第１のコンテンツとして表示する指示を与えるとともに、上記キーワード表示指示ステップにて、該表示された第１のコンテンツに付与された１または複数のキーワードによって表示を更新する指示を与えることを特徴としている。
【００１３】
上記の構成によれば、第１のコンテンツに付与されたキーワードをユーザがリモコンなどにより選択すると、該選択に応じて該キーワードが付与された１または複数の第２のコンテンツを表示することができる。そして、第２のコンテンツをユーザがリモコンなどにより選択すると、該選択に応じて該第２のコンテンツを第１のコンテンツとして表示することができる。さらに、該第１のコンテンツを表示したとき、該第１のコンテンツに付与された１または複数のキーワードを表示することができる。
【００１４】
よって、第１のコンテンツにどのようなキーワードが付与されているかをユーザが容易に知ることができ、また、第１のコンテンツを表示したままの状態で、該キーワードが付与された第２のコンテンツを探すことができる。また、上記の簡易な操作により第２のコンテンツを第１のコンテンツとして表示することができる。
【００１５】
したがって、上記の簡易な操作を繰り返すだけで、関連のあるコンテンツを次々と表示することができ、ユーザが所望するコンテンツを容易に探すことができるという効果を奏する。
【００１６】
さらに、本発明に係るコンテンツ表示処理装置は、上記の構成において、上記第２のコンテンツは、上記第１のコンテンツに含まれ、上記第２コンテンツとして予め設定されているデータである構成としてもよい。
【００１７】
上記の構成によれば、さらに、第２のコンテンツとして、例えば、第１のコンテンツに含まれる見出しやタイトルや要約などのデータを表示することができる。
【００１８】
よって、上記の簡易な操作により、第１のコンテンツの見出しやタイトルや要約などのデータを参照し、これらデータを選択することによって、第１のコンテンツを表示することができる。
【００１９】
したがって、上記の簡易な操作を繰り返すだけで、関連のあるコンテンツの付加情報を次々と表示することができ、ユーザが所望するコンテンツを容易に探すことができるという効果を奏する。
【００２０】
さらに、本発明に係るコンテンツ表示処理装置は、上記の構成において、上記キーワード表示指示手段により表示する表示領域を、上記第１コンテンツ表示指示手段により表示する表示領域に並べて配置し、上記第２コンテンツ表示指示手段により表示する表示領域を、上記第１コンテンツ表示指示手段により表示する表示領域に並べて、かつ、上記キーワード表示指示手段により表示する表示領域とは重ならない位置に配置する構成としてもよい。
【００２１】
上記の構成によれば、さらに、例えば第１のコンテンツの表示画面の上側に、該第１のコンテンツに付与された１または複数のキーワードをタブなどで表示し、例えば第１のコンテンツの表示画面の右側に、該キーワードが付与された第２のコンテンツをリストなどで表示することができる。
【００２２】
よって、第１のコンテンツを表示したまま、例えばリモコンのボタン操作などの簡易な操作により、キーワードおよび第２のコンテンツを選択することができる。
【００２３】
したがって、ユーザは簡易な操作で関連のあるコンテンツを探すことができるという効果を奏する。
【００２４】
さらに、本発明に係るコンテンツ表示処理装置は、上記の構成において、上記キーワード表示指示手段が、上記第１のコンテンツに付与された１または複数のキーワードとともに、所定のキーワードを表示する構成としてもよい。
【００２５】
上記の構成によれば、さらに、表示される第１のコンテンツに関わらず、ユーザがあらかじめ設定したキーワードを、該第１のコンテンツに付与された１または複数のキーワードとともに表示することができる。また、例えば、表示される第１のコンテンツに関わらず、ユーザが過去に選択したことがあるキーワードの履歴を、該第１のコンテンツに付与された１または複数のキーワードとともに表示することができる。
【００２６】
よって、第１のコンテンツを表示したまま、第１のコンテンツに関連しないキーワードが付与された第２のコンテンツを表示することができる。
【００２７】
したがって、ユーザは、閲覧する機会の多いコンテンツや過去に閲覧したコンテンツを容易に探すことができるという効果を奏する。
【００２８】
さらに、本発明に係るコンテンツ表示処理装置は、上記の構成において、上記キーワードをユーザが選択するための第１入力操作手段と、上記第２のコンテンツをユーザが選択するための第２入力操作手段と、上記選択された第２のコンテンツを第１のコンテンツとして表示することをユーザが決定するための第３入力操作手段とを備える構成としてもよい。
【００２９】
上記の構成によれば、さらに、第１のコンテンツに付与されたキーワードをユーザがリモコンなどの左右方向キーの操作により選択すると、該選択に応じて該キーワードが付与された１または複数の第２のコンテンツを表示することができる。そして、第２のコンテンツをユーザがリモコンなどの上下方向キーの操作により選択し、決定キーの操作により決定すると、該決定に応じて該第２のコンテンツを第１のコンテンツとして表示することができる。さらに、該第１のコンテンツを表示したとき、該第１のコンテンツに付与された１または複数のキーワードを表示することができる。
【００３０】
よって、ユーザは所定の操作だけで、上記第１のコンテンツを表示することができる。
【００３１】
したがって、ユーザは所定の操作を繰り返すだけで、関連のあるコンテンツを次々と表示することができるため、ユーザの利便性が高まるという効果を奏する。
【００３２】
また、本発明に係るコンテンツ表示処理装置は、上記の構成において、上記キーワード表示指示手段が、所定のタイミング毎に上記キーワードの選択を切り替える指示を与え、上記第２コンテンツ表示指示手段が、上記選択されたキーワードが付与された１または複数の第２のコンテンツによって表示を更新する指示を与える構成としてもよい。
【００３３】
上記の構成によれば、さらに、第１のコンテンツに付与されたキーワードを所定のタイミングにより自動的に順次選択し、該選択に応じて該キーワードが付与された１または複数の第２のコンテンツを表示することができる。
【００３４】
よって、ユーザはキーワードを選択する操作をすることなく、各キーワードが付与された１または複数の第２のコンテンツを参照することができる。そして、上記の簡易な操作により第２のコンテンツを選択し、第１のコンテンツとして表示することができる。
【００３５】
したがって、ユーザはキーワードを選択する操作をすることなく、ユーザが所望するコンテンツを容易に探すことができるので、ユーザの利便性が高まるという効果を奏する。
【００３６】
また、本発明に係るコンテンツ表示処理装置は、第１のコンテンツを表示部に表示する指示を与える第１コンテンツ表示指示手段と、第１のコンテンツに付与された１または複数の第１のキーワードをそれぞれユーザが選択可能に上記第１のコンテンツと同時に上記表示部に表示する指示を与える第１キーワード表示指示手段と、上記第１キーワード表示指示手段によって表示されている第１のキーワードと関連付けられている１または複数の第２のキーワードをそれぞれユーザが選択可能に上記表示部に表示する指示を与える第２キーワード表示指示手段と、上記第１キーワード表示指示手段によって表示されている第１のキーワードおよび上記第２キーワード表示指示手段によって表示されている第２のキーワードが付与された、１または複数の第２のコンテンツをそれぞれユーザが選択可能に上記表示部に表示する指示を与える第２コンテンツ表示指示手段とを備え、上記第１キーワード表示指示手段が上記第１のキーワードのユーザによる選択を検出したとき、上記第２キーワード表示指示手段は、該選択された第１のキーワードに関連する１または複数の第２のキーワードによって表示を更新する指示を与え、上記第２キーワード表示指示手段が上記第２のキーワードのユーザによる選択を検出したとき、上記第２コンテンツ表示指示手段は、上記選択された第１のキーワードおよび上記選択された第２のキーワードが付与された、１または複数の第２のコンテンツによって表示を更新する指示を与え、上記第２コンテンツ表示指示手段が上記第２のコンテンツのユーザによる選択を検出したとき、上記第１コンテンツ表示指示手段は、該選択された第２のコンテンツを第１のコンテンツとして表示する指示を与えるとともに、上記第１キーワード表示指示手段は、該表示された第１のコンテンツに付与された１または複数の第１のキーワードによって表示を更新する指示を与えることを特徴としている。
【００３７】
上記の構成によれば、第１のコンテンツに付与された第１のキーワードをユーザがリモコンなどにより選択すると、該選択に応じて該キーワードに関連する第２のキーワードを表示することができる。そして、第２のキーワードをユーザがリモコンなどにより選択すると、該選択に応じて該第１のキーワードと第２のキーワードとが付与された１または複数の第２のコンテンツを表示することができる。そして、第２のコンテンツをユーザがリモコンなどにより選択すると、該選択に応じて該第２のコンテンツを第１のコンテンツとして表示することができる。さらに、該第１のコンテンツを表示したとき、該第１のコンテンツに付与された１または複数の第１のキーワードを表示することができる。
【００３８】
よって、第１のコンテンツにどのようなキーワードが付与されているかをユーザが容易に知ることができ、また、第１のコンテンツを表示したままの状態で、該キーワードおよび該キーワードに関連するキーワードが付与された第２のコンテンツを探すことができる。また、上記の簡易な操作により第２のコンテンツを第１のコンテンツとして表示することができる。また、第１のキーワードを選択したあと、さらに第２のキーワードを選択することにより、第１のキーワードと第２のキーワードとが付与された第２のコンテンツを表示するので、表示する第２のコンテンツを絞り込むことができる。
【００３９】
したがって、コンテンツの数が多い場合であっても、上記の簡易な操作を繰り返すだけで、関連のあるコンテンツを次々と表示することができ、ユーザが所望するコンテンツを容易に探すことができるという効果を奏する。
【００４０】
さらに、本発明に係るコンテンツ表示処理装置は、上記の構成において、上記第１キーワード表示指示手段により表示する表示領域を、上記第１コンテンツ表示指示手段により表示する表示領域に並べて配置し、上記第２キーワード表示指示手段により表示する表示領域を、上記第１コンテンツ表示指示手段により表示する表示領域に並べて配置し、上記第２コンテンツ表示指示手段により表示する表示領域を、上記第１コンテンツ表示指示手段により表示する表示領域に並べて配置し、上記第１キーワード表示指示手段により表示する表示領域と上記第２キーワード表示指示手段により表示する表示領域と上記第２コンテンツ表示指示手段により表示する表示領域とを互いに重ならない位置に配置する構成としてもよい。
【００４１】
上記の構成によれば、さらに、例えば第１のコンテンツの表示画面の上側に、１または複数の第１のキーワードをタブなどで表示し、例えば第１のコンテンツの表示画面の右側に、１または複数の第２のキーワードをリストなどで表示し、例えば第１のコンテンツの表示画面の下側に、１または複数の第２のコンテンツをリストなどで表示することができる。
【００４２】
よって、第１のコンテンツを表示したまま、例えばリモコンのボタン操作などの簡易な操作により、第１のキーワードおよび第２のキーワードおよび第２のコンテンツを選択することができる。
【００４３】
したがって、ユーザは簡易な操作で関連のあるコンテンツを探すことができるという効果を奏する。
【００４４】
なお、上記コンテンツ表示処理装置は、コンピュータによって実現してもよく、この場合には、コンピュータを上記各手段として動作させることにより上記コンテンツ表示処理装置をコンピュータにて実現させるコンテンツ表示処理装置の制御プログラム、およびそれを記録したコンピュータ読み取り可能な記録媒体も、本発明の範疇に入る。
【発明の効果】
【００４５】
以上のように、本発明に係るコンテンツ表示処理装置は、第１のコンテンツを表示部に表示する指示を与える第１コンテンツ表示指示手段と、第１のコンテンツに付与された１または複数のキーワードをそれぞれユーザが選択可能に上記第１のコンテンツと同時に上記表示部に表示する指示を与えるキーワード表示指示手段と、上記キーワード表示指示手段によって表示されているキーワードが付与された１または複数の第２のコンテンツをそれぞれユーザが選択可能に上記表示部に表示する指示を与える第２コンテンツ表示指示手段とを備え、上記キーワード表示指示手段が上記キーワードのユーザによる選択を検出したとき、上記第２コンテンツ表示指示手段は、該選択されたキーワードが付与された１または複数の第２のコンテンツによって表示を更新する指示を与え、上記第２コンテンツ表示指示手段が上記第２のコンテンツのユーザによる選択を検出したとき、上記第１コンテンツ表示指示手段は、該選択された第２のコンテンツを第１のコンテンツとして表示する指示を与えるとともに、上記キーワード表示指示手段は、該表示された第１のコンテンツに付与された１または複数のキーワードによって表示を更新する指示を与える。
【００４６】
また、本発明に係るコンテンツ表示処理方法は、第１のコンテンツを表示部に表示する指示を与える第１コンテンツ表示指示ステップと、第１のコンテンツに付与された１または複数のキーワードをそれぞれユーザが選択可能に上記第１のコンテンツと同時に上記表示部に表示する指示を与えるキーワード表示指示ステップと、上記キーワード表示指示ステップによって表示されているキーワードが付与された１または複数の第２のコンテンツをそれぞれユーザが選択可能に上記表示部に表示する指示を与える第２コンテンツ表示指示ステップとを含み、上記第２コンテンツ表示指示ステップにて、該選択されたキーワードが付与された１または複数の第２のコンテンツによって表示を更新する指示を与え、
上記第１コンテンツ表示指示ステップにて、該選択された第２のコンテンツを第１のコンテンツとして表示する指示を与えるとともに、上記キーワード表示指示ステップにて、該表示された第１のコンテンツに付与された１または複数のキーワードによって表示を更新する指示を与える。
【００４７】
よって、第１のコンテンツにどのようなキーワードが付与されているかをユーザが容易に知ることができ、また、第１のコンテンツを表示したままの状態で、該キーワードが付与された第２のコンテンツを探すことができる。また、上記の簡易な操作により第２のコンテンツを第１のコンテンツとして表示することができる。
【００４８】
したがって、上記の簡易な操作を繰り返すだけで、ユーザが所望するコンテンツを容易に探すことができ、また、関連のあるコンテンツを次々と表示することができるという効果を奏する。
【発明を実施するための最良の形態】
【００４９】
〔実施の形態１〕
本発明の一実施形態について図１から図１４に基づいて説明すると以下の通りである。
【００５０】
（コンテンツ表示処理装置の構成）
本実施の形態に係るコンテンツ表示処理装置１は、動画像、静止画像、テキストなどのコンテンツ、および、それらコンテンツに付随する付加情報（ジャンル、タイトル、要約など）が付与されたコンテンツデータ３を外部サーバから受信し、該受信したコンテンツデータ３に基づいてコンテンツの表示を処理するクライアントである。コンテンツ表示処理装置１は、例えば、テレビ、携帯電話、ＰＣ（Personal Computer）、ＰＤＡ（personal digital assistant）などである。また、コンテンツ表示処理装置１は、リモコンやマウスなどの入力操作デバイスによりユーザからの入力操作を受けつけ、該入力操作に応じてコンテンツの表示を処理する。
【００５１】
なお、外部サーバからコンテンツ表示処理装置１へのコンテンツデータ３の送信は、放送波を用いてもよいし、通信ネットワークを用いてもよい。また、コンテンツ表示処理装置１から外部サーバへのコンテンツの送信要求は、通信ネットワークを用いる。通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４ケーブル、ＵＳＢケーブル、電力線搬送、ケーブルＴＶ回線、電話線、ＡＤＳＬ回線等の有線でも、ＩｒＤＡのような赤外線、Ｂｌｕｅｔｏｏｔｈ（登録商標）、８０２．１１無線、ＨＤＲ、携帯電話網等の無線でも利用可能である。
【００５２】
次に、図１を参照しながら、コンテンツ表示処理装置１の構成について説明する。図１は、本実施の一形態に係るコンテンツ表示処理装置１の構成を示すブロック図である。図１に示すようにコンテンツ表示処理装置１は、制御部１０、記憶部２０、通信部３０、表示部４０、入力操作部６０、および入出力制御部７０を備えて構成される。
【００５３】
制御部１０は、記憶部２０、および入出力制御部７０の制御を行うとともに、所定の演算処理を行うものである。ここで、所定の演算処理としては、例えば図示しない外部サーバからのコンテンツデータ３の取得がある。制御部１０の詳細な構成については後述する。
【００５４】
記憶部２０は、制御部１０で利用される各種データや、プログラムの実行によって得られたデータなどを記憶するものであり、ＲＯＭ（Read-Only Memory）やフラッシュメモリなどの不揮発性メモリなどで実現される。上記各種データは、記憶部２０内部の各種記憶部に記憶される。また、外部サーバから受信したコンテンツデータ３に含まれるコンテンツは、検索可能な状態でコンテンツ記憶部２１に記憶される。また、外部サーバから受信したコンテンツデータ３に含まれる付加情報は、検索可能な状態で付加情報記憶部２２に記憶される。
【００５５】
なお、記憶部２０は、必ずしもコンテンツ表示処理装置１に備えられる必要はなく、外部記憶装置として、読み取り可能な状態でコンテンツ表示処理装置１に接続される構成でもよい。
【００５６】
通信部３０は、図示しない外部サーバと通信網を介して通信するものであり、内部に受信部３１および送信部３２を備えている。
【００５７】
受信部３１は、図示しない外部サーバ送信されたコンテンツデータ３を受信するものであり、受信制御部７２により制御される。受信部３１で受信されたコンテンツデータ３は、受信制御部７２へ送られる。
【００５８】
受信制御部７２は、受信部３１を制御し、受信したコンテンツデータ３を後述するコンテンツデータ取得部１１に送信する。
【００５９】
送信部３２は、図示しない外部サーバに対して、コンテンツデータ３の取得要求を行うものであり、送信制御部７３により制御される。
【００６０】
送信制御部７３は、送信部３２を制御し、後述するコンテンツデータ取得部１１から受信したコンテンツデータ３の取得要求を送信部３２に送信する。
【００６１】
表示部４０は、表示制御部７４より送られた情報を表示する。表示部４０は、例えばＬＣＤ（Liquid Crystal Display；液晶表示装置）で構成される。表示部４０に表示する情報にはコンテンツデータ３が含まれる。
【００６２】
そして、表示部４０は、後述する第１コンテンツ取得部１２１が取得した第１のコンテンツを表示する第１コンテンツ表示領域４１、後述するキーワードリスト生成部１２３が生成したキーワードのタブまたはリストを表示するキーワード表示領域４２、後述する第２コンテンツリスト生成部１２５が生成した第２のコンテンツのタブまたはリストを表示する第２コンテンツ表示領域４３を含んでいる。第１コンテンツ表示領域４１とキーワード表示領域４２と第２コンテンツ表示領域４３とは、それぞれをユーザが閲覧できるように重ならないことが望ましい。
【００６３】
なお、キーワード表示領域４２は、例えばユーザ操作により選択可能なタブまたはリストなどを表示する。同様に、第２コンテンツ表示領域４３は、例えばユーザ操作により選択可能なタブまたはリストなどを表示する。
【００６４】
なお、表示部４０は、必ずしもコンテンツ表示処理装置１に備えられる必要はなく、外部装置としてコンテンツ表示処理装置１に通信可能に接続される構成でもよい。
【００６５】
表示制御部７４は、表示部４０を制御し、制御部１０から指示された情報を表示部４０に送信する。
【００６６】
入力操作部６０は、コンテンツ表示処理装置１のユーザの入力操作を受けつけ、入力操作に応じた入力信号を入力操作制御部７６に送信する。入力操作部６０は、例えば、リモコン、マウス、キーボード、スイッチ、タッチパネルなどの入力デバイスで構成される。ユーザが入力操作部６０から入力操作を行うことにより、キーワード表示領域４２に表示するキーワードの選択、第２コンテンツ表示領域４３に表示する第２のコンテンツの選択などの入力操作に応じた入力信号を生成する。
【００６７】
また、入力操作部６０は、キーワード表示領域４２に表示されるキーワードのタブまたはリストを選択するための第１入力操作部６１（図示せず）、第２コンテンツ表示領域４３に表示される第２のコンテンツのタブまたはリストを選択するための第２入力操作部６２（図示せず）、第２コンテンツ表示領域４３に表示される第２のコンテンツを第１のコンテンツとして第１コンテンツ表示領域４１に表示することを決定するための第３入力操作部６３（図示せず）を含んでいてもよい。例えば、第１入力操作部６１はリモコンなどの左右方向キーであり、第２入力操作部６２はリモコンなどの上下方向キーであり、第３入力操作部６３はリモコンなどの決定キーであればよい。
【００６８】
なお、入力操作部６０は、必ずしもコンテンツ表示処理装置１に備えられる必要はなく、外部装置としてコンテンツ表示処理装置１に通信可能に接続される構成でもよい。
【００６９】
入力操作制御部７６は、コンテンツ表示処理装置１のユーザの操作を受けつける入力操作部６０を制御し、ユーザの入力操作に応じた入力信号を後述する入力操作解析部１３に送信する。
【００７０】
次に、制御部１０について詳細に説明する。制御部１０は、コンテンツデータ取得部１１、表示データ生成部１２、入力操作解析部１３を備えている。
【００７１】
コンテンツデータ取得部１１は、後述する入力操作解析部１３の第２コンテンツ選択検出部１３１からコンテンツデータ３の取得要求の指示があったとき、または、コンテンツ表示処理装置１の電源投入直後やユーザによるコンテンツ閲覧開始指示後などに初期表示するコンテンツデータ３の取得要求を行うとき、それら取得要求を送信制御部７３および送信部３２を介して図示しない外部サーバに送信する。該取得するコンテンツデータ３は、１または複数のコンテンツおよび該コンテンツに付随する１または複数の付加情報を含んでいる。
【００７２】
そして、コンテンツデータ取得部１１は、図示しない外部サーバから受信部３１を介してコンテンツデータ３を受信する。そして、該受信したコンテンツデータ３に含まれるコンテンツをコンテンツ記憶部２１に格納する。また、該受信したコンテンツデータ３に含まれる付加情報を付加情報記憶部２２に格納する。
【００７３】
なお、上記のように該受信したコンテンツデータ３を記憶部２０に格納せずに、表示データ生成部１２に転送してもよい。なお、すでに取得済みのコンテンツデータ３については外部サーバから取得しなくてもよい。
【００７４】
表示データ生成部１２は、コンテンツデータ取得部１１が受信したコンテンツデータ３または、記憶部２０に格納されているコンテンツおよび付加情報に基づいて、表示部４０に表示するデータを生成する。そのために、表示データ生成部１２は、第１コンテンツ取得部１２１、キーワード取得部１２２、キーワードリスト生成部１２３、第２コンテンツ取得部１２４、第２コンテンツリスト生成部１２５を備えている。
【００７５】
第１コンテンツ取得部１２１は、後述する入力操作解析部１３の第２コンテンツ選択検出部１３１から送信される識別情報に対応する第１のコンテンツ、または、コンテンツ表示処理装置１の電源投入直後やユーザによるコンテンツ閲覧開始指示後などに初期表示する第１のコンテンツを取得する。併せて該第１のコンテンツを表示するにあたり必要な付加情報（該コンテンツの見出しや、要約文など）を取得する。
【００７６】
ここで、第１コンテンツ取得部１２１は、第１のコンテンツおよび付加情報を、コンテンツ記憶部２１および付加情報記憶部２２を検索して取得してもよいし、コンテンツデータ取得部１１が取得したコンテンツデータ３に含まれるコンテンツおよび付加情報から取得してもよい。
【００７７】
そして、これら取得した第１のコンテンツおよび付加情報を、表示制御部７４を介して表示部４０の第１コンテンツ表示領域４１に表示する指示を与える。
【００７８】
そして、第１コンテンツ取得部１２１は、上記取得した第１のコンテンツまたは付加情報に含まれる、該第１のコンテンツを識別可能な識別情報（コンテンツのＩＤなど）をキーワード取得部１２２に送信する。
【００７９】
キーワード取得部１２２は、後述する入力操作解析部１３の第２コンテンツ選択検出部１３１から送信されるコンテンツの識別情報を受信したとき、または、第１コンテンツ取得部１２１が取得した第１のコンテンツの識別情報を受信したとき、該コンテンツに付与された１または複数のキーワードを取得する。
【００８０】
ここで、キーワードとは、例えば、コンテンツのカテゴリー、ジャンル、コンテンツの作成日付など、コンテンツの付加情報に含まれる情報であり、コンテンツをいくつかのグループに分類するときの基準となりうる情報である。また、キーワード取得部１２２は、該キーワードを、付加情報記憶部２２を検索して取得してもよいし、コンテンツデータ取得部１１が取得したコンテンツデータ３に含まれる付加情報から取得してもよい。
【００８１】
そして、キーワード取得部１２２は、取得したキーワードの識別情報をキーワードリスト生成部１２３および第２コンテンツ取得部１２４に送信する。
【００８２】
なお、キーワード取得部１２２は、１）第１のコンテンツの付加情報にあらかじめキーワードとして設定されている情報を抽出することにより取得してもよいし、２）第１のコンテンツの付加情報から任意の文字列をキーワードと判断して抽出することにより取得してもよい。
【００８３】
具体的には、例えば上記１）は、１または複数のキーワードが、第１のコンテンツのＩＤと関連付けられた状態で付加情報として設定されているような場合である。この場合、キーワード取得部１２２は、第１コンテンツ取得部１２１から受信した第１のコンテンツのＩＤを基にして、キーワードを抽出すればよい。
【００８４】
また、上記２）は、例えば、第１のコンテンツの付加情報における文字列に対して一般的な構文解析を行うことにより例えば名詞を抽出し、その抽出結果をキーワードの候補とするような場合である。そして、例えば、図示しない外部の一般的なＷｅｂ検索サイトから、該サイトにおける検索頻度の高いキーワードを別途取得しておく。該取得の方法は、受信部３１を介して取得してもよい。そして、上記キーワードの候補のうち、上記取得した検索頻度の高いキーワードと合致するものを選択し、キーワードとすればよい。
【００８５】
なお、コンテンツ表示処理装置１の電源投入直後などに初期表示される画面においては、あらかじめ記憶部２０などに設定された所定のキーワードが表示部４０のキーワード表示領域４２に表示される。そのため、コンテンツ表示処理装置１の電源投入直後などにおいては、キーワード取得部１２２は、上記あらかじめ設定された所定のキーワードを記憶部２０などから取得する。
【００８６】
キーワードリスト生成部１２３は、キーワード取得部１２２から受信したキーワードを基にユーザが選択可能なタブまたはリストを生成し、該生成したタブまたはリストを表示制御部７４を介して表示部４０のキーワード表示領域４２に表示する指示を与える。なお、すでにタブまたはリストが第２コンテンツ表示領域４２に表示されているときは、その表示を更新する。
【００８７】
また、キーワードリスト生成部１２３は、上記生成したタブまたはリストにおける選択状態を、予め定められた所定のタイミング（例えば５秒毎など）に応じて自動的に順次切り替えて表示を更新する指示を与えてもよい。このとき、切り替え後に選択されるキーワードの識別情報を第２コンテンツ取得部１２４に送信する。
【００８８】
第２コンテンツ取得部１２４は、後述する入力操作解析部１３のキーワード選択検出部１３２から送信されるキーワードの識別情報を受信したとき、または、キーワード取得部１２２からキーワードの識別情報を受信したとき、または、キーワードリスト生成部１２３から送信される、自動的に選択されたキーワードの識別情報を受信したとき、該キーワードを付加情報として含んでいる１または複数の第２のコンテンツ、および該コンテンツの付加情報を取得する。
【００８９】
ここで、第２コンテンツ取得部１２４は、第２のコンテンツおよびその付加情報を、コンテンツ記憶部２１および付加情報記憶部２２を検索して取得してもよいし、コンテンツデータ取得部１１が取得したコンテンツデータ３に含まれるコンテンツおよび付加情報から取得してもよい。
【００９０】
そして、該取得したコンテンツおよびその付加情報を第２コンテンツリスト生成部１２５に送信する。
【００９１】
なお、第２コンテンツ取得部１２４は、キーワード取得部１２２から受信したキーワードと、第２のコンテンツの付加情報としてあらかじめ設定されているキーワードとをマッチングした結果を基に、第２のコンテンツおよびその付加情報を取得してもよい。
【００９２】
第２コンテンツリスト生成部１２５は、第２コンテンツ取得部１２４から受信した第２のコンテンツまたは付加情報に基づいて、ユーザが該コンテンツを選択可能なタブまたはリストとして生成し、該生成したタブまたはリストを表示制御部７４を介して表示部４０の第２コンテンツ表示領域４３に表示する指示を与える。すでにタブまたはリストが第２コンテンツ表示領域４３に表示されているときは、その表示を更新する。
【００９３】
入力操作解析部１３は、入力操作部６０が送信するユーザの入力操作に応じた入力信号を入力操作制御部７６を介して受信する。そして、該入力信号を解析し、１）第２のコンテンツを選択する入力操作に対する信号であるか、または、２）キーワードを選択する入力操作に対する信号であるかを検出する。そのために、入力操作解析部１３は、第２コンテンツ選択検出部１３１とキーワード選択検出部１３２とを備える。
【００９４】
第２コンテンツ選択検出部１３１は、入力操作制御部７６から受信した信号に基づいて、表示部４０の第２コンテンツ表示領域４３に表示される第２のコンテンツをユーザが選択したかどうかを検出する。そして、第２のコンテンツを選択したことを検出したときは、コンテンツデータ取得部１１に対して上記選択された第２のコンテンツのコンテンツデータ３の取得要求を送信する。また、第１コンテンツ取得部１２１およびキーワード取得部１２２に対して、上記選択した第２のコンテンツの識別情報を送信する。
【００９５】
キーワード選択検出部１３２は、入力操作制御部７６から受信した信号に基づいて、表示部４０のキーワード表示領域４２に表示されるキーワードをユーザが選択したかどうかを検出する。そして、キーワードを選択したことを検出したときは、第２コンテンツ取得部１２４に上記選択したキーワードを識別可能な情報を送信する。
【００９６】
（コンテンツとキーワードとの対応づけ）
図２を参照しながら、コンテンツとキーワードとの対応付けのデータ構造について説明する。図２は、コンテンツとキーワードとの対応付けのデータ構造を模式的に示す図である。図２に示すように、コンテンツのＩＤに対し、１または複数のキーワードが対応付けられている。コンテンツの付加情報が図２に示すデータ構造を含んでいてもよいし、コンテンツの付加情報からキーワードを抽出した結果、記憶部２０に図２に示すデータ構造で格納してもよい。
【００９７】
この例では、「200705050003」というコンテンツＩＤに対して、「松本」、「星空高校」、「甲子園」というキーワードが対応付けられている。また、「200705170001」というコンテンツＩＤに対して、「松本」、「ナンキース」、「スポーツ」、「逆転」というキーワードが対応付けられている。なお、この例では、１つのコンテンツのＩＤに対応づくキーワードが３つまたは４つの場合について例を挙げて記載しているが、これに限られるものではない。
【００９８】
（コンテンツ表示処理装置における処理の流れ）
次に、図３を参照しながら、コンテンツ表示処理装置１がコンテンツデータ３を表示し、ユーザ操作によりコンテンツの表示を更新する手順について説明する。図３は、コンテンツ表示処理装置１がコンテンツデータ３を表示し、ユーザ操作により関連するコンテンツに切り替えて表示処理する手順を示すフローチャートである。
【００９９】
コンテンツ表示処理装置１の電源投入直後や、ユーザからの入力操作部６０へのコンテンツ閲覧開始指示があったとき、コンテンツデータ取得部１１がコンテンツ取得要求を外部サーバに送信し、初期表示指示する第１のコンテンツおよび該コンテンツに関連するコンテンツのコンテンツデータ３を通信部３０を介して取得する（Ｓ１１）。なお、取得したコンテンツデータ３に含まれるコンテンツをコンテンツ記憶部２１に格納してもよいし、また、該受信したコンテンツデータ３に含まれる付加情報を付加情報記憶部２２に格納してもよい。
【０１００】
次に、第１コンテンツ取得部１２１が、コンテンツデータ取得部１１が取得したコンテンツデータ３、または、コンテンツ記憶部２１および付加情報記憶部２２に格納されたコンテンツデータ３から、初期表示する第１のコンテンツおよび該コンテンツを表示するにあたり必要な付加情報を取得し、表示部４０の第１コンテンツ表示領域４１に出力する（Ｓ１２）。
【０１０１】
そして、キーワード取得部１２２が、第１コンテンツ取得部１２１が取得した上記第１のコンテンツに付与された１または複数のキーワードを取得する。そして、キーワードリスト生成部１２３が該キーワードを基にユーザが選択可能なタブまたはリストを生成し、該生成したタブまたはリストを表示制御部７４を介して表示部４０のキーワード表示領域４２に出力する（Ｓ１３）。
【０１０２】
そして、第２コンテンツ取得部１２４が、キーワード取得部１２２が取得した上記キーワードを付加情報に含む１または複数の第２のコンテンツおよび該コンテンツの付加情報を取得する。そして、第２コンテンツリスト生成部１２５が、第２コンテンツ取得部１２４が取得した上記第２のコンテンツおよび該コンテンツの付加情報を基に、ユーザが選択可能なタブまたはリストを生成し、該生成したタブまたはリストを表示制御部７４を介して表示部４０の第２コンテンツ表示領域４３に出力する（Ｓ１４）。
【０１０３】
次に、入力操作部６０からのユーザ操作により、表示部４０のキーワード表示領域４２に表示されているキーワードが選択されたことをキーワード選択検出部１３２が検出したとき（Ｓ１５にてＹＥＳ）、第２コンテンツ取得部１２４が、該選択されたキーワードを付加情報に含む１または複数の第２のコンテンツおよび該コンテンツの付加情報を取得する。そして、第２コンテンツリスト生成部１２５が、該第２のコンテンツおよび該コンテンツの付加情報を基に、ユーザが選択可能なタブまたはリストを生成し、該生成したタブまたはリストを表示制御部７４を介して表示部４０の第２コンテンツ表示領域４３に出力する（Ｓ１６）。これにより、ユーザが新たなキーワードを選択すると、表示部４０の第２コンテンツ表示領域４３に表示される情報が更新される。
【０１０４】
次に、入力操作部６０からのユーザ操作により、表示部４０のキーワード表示領域４２に表示されているキーワードが新たに選択されず（Ｓ１５にてＮＯ）、表示部４０の第２コンテンツ表示領域４３に表示されている第２のコンテンツが選択されたことを第２コンテンツ選択検出部１３１が検出したとき（Ｓ１７にてＹＥＳ）、コンテンツデータ取得部１１がコンテンツ取得要求を外部サーバに送信し、該選択された第２のコンテンツおよび該コンテンツに関連するコンテンツのコンテンツデータ３を通信部３０を介して取得する（Ｓ１８）。
【０１０５】
なお、該選択された第２のコンテンツおよび該コンテンツに関連するコンテンツのコンテンツデータ３をすでに取得済みであれば、外部サーバから取得しなくてよい。なお、取得したコンテンツデータ３に含まれるコンテンツをコンテンツ記憶部２１に格納してもよいし、また、該受信したコンテンツデータ３に含まれる付加情報を付加情報記憶部２２に格納してもよい。
【０１０６】
次に、第１コンテンツ取得部１２１が、コンテンツデータ取得部１１が取得したコンテンツデータ３、または、コンテンツ記憶部２１および付加情報記憶部２２に格納されたコンテンツデータ３から、ユーザが選択した第２のコンテンツおよび該コンテンツを表示するにあたり必要な付加情報を取得し、表示部４０の第１コンテンツ表示領域４１に第１のコンテンツとして出力する（Ｓ１９）。
【０１０７】
そして、キーワード取得部１２２が、第１コンテンツ取得部１２１が取得した上記コンテンツに付与された１または複数のキーワードを取得する。そして、キーワードリスト生成部１２３が該キーワードを基にユーザが選択可能なタブまたはリストを生成し、該生成したタブまたはリストを表示制御部７４を介して表示部４０のキーワード表示領域４２に出力する（Ｓ２０）。
【０１０８】
そして、第２コンテンツ取得部１２４が、キーワード取得部１２２が取得した上記キーワードを付加情報に含む１または複数の第２のコンテンツおよび該コンテンツの付加情報を取得する。そして、第２コンテンツリスト生成部１２５が、第２コンテンツ取得部１２４が取得した上記第２のコンテンツおよび該コンテンツの付加情報を基に、ユーザが選択可能なタブまたはリストを生成し、該生成したタブまたはリストを表示制御部７４を介して表示部４０の第２コンテンツ表示領域４３に出力する（Ｓ２１）。
【０１０９】
以上のように、表示部４０のユーザが第２コンテンツ表示領域４３にて第２のコンテンツを選択すると、該選択した第２のコンテンツが第１のコンテンツとして表示部４０の第１コンテンツ表示領域４１に表示され、また、表示部４０のキーワード表示領域４２に表示されるキーワードが、該第１のコンテンツに付与されたキーワードに更新される。そして、表示部４０のキーワード表示領域４２に表示されるキーワードに応じて、表示部４０の第２コンテンツ表示領域４３に表示される第２のコンテンツが更新される。
【０１１０】
なお、入力操作部６０からのユーザ操作により、表示部４０の第２コンテンツ表示領域４３に表示されている第２のコンテンツが選択されないときは（Ｓ１７にてＮＯ）、ステップＳ１５へ戻る。
【０１１１】
（コンテンツ表示処理装置におけるコンテンツの表示画面例）
次に、図４を参照しながら、コンテンツ表示処理装置１においてコンテンツを表示処理する画面例について説明する。図４は、コンテンツ表示処理装置１においてコンテンツを表示処理する画面例を示す模式図である。
【０１１２】
図４に示す例では、表示画面の上側にキーワード表示領域４２がユーザ操作可能なタブとして配置されており、表示画面の右側に第２コンテンツ表示領域４３がユーザ操作可能なリストとして配置されている。そして、キーワード表示領域４２の下側かつ第２コンテンツ表示領域４３の左側に第１コンテンツ表示領域４１が配置されている。
【０１１３】
そして、この例では、第１コンテンツ表示領域４１に「松本  逆転３ラン」という見出しのニュース記事のコンテンツが表示されている。そして、キーワード表示領域４２に、上記コンテンツに付与されたキーワードである「ナンキース」および「松本」が表示されており、かつ「松本」が選択されている。上記の「ナンキース」および「松本」は、上述したように、「松本  逆転３ラン」というコンテンツの付加情報にあらかじめキーワードとして設定されているものであってもよいし、一般的な構文解析などにより上記コンテンツや上記コンテンツの付加情報から抽出したものであってもよい。そして、第２コンテンツ表示領域４３に、「松本」をキーワードとして含むコンテンツとして、「怪我は完治して」と「日米通算２０００本」と「石川県の星空高が」とがリスト表示されている。すなわち、「怪我は完治して」と「日米通算２０００本」と「石川県の星空高が」というコンテンツは、「松本」というキーワードを含んでいる。
【０１１４】
入力操作部６０が、第１入力操作部６１として左右方向のキー、第２入力操作部６２として上下方向のキー、および第３入力操作部６３として決定キーを備えるリモコンなどである場合、例えばユーザによる左右方向キーの操作により、キーワード表示領域４２のタブの選択を行うことによりキーワードを選択する。これにより、表示部４０の第２コンテンツ表示領域４３におけるコンテンツリストの表示内容が、該選択したキーワードが付与されたコンテンツに切り替わる。
【０１１５】
次に、例えばユーザによる上下方向キーの操作により、表示部４０の第２コンテンツ表示領域４３においてコンテンツを選択する。そして、例えばユーザによる決定キーの操作によりコンテンツを決定することにより、該決定したコンテンツが第１コンテンツ表示領域４１に表示される。またこれに伴い、キーワード表示領域４２におけるキーワードの表示内容が、該表示されたコンテンツに付与されたキーワードに切り替わる。
【０１１６】
なお、上記表示画面の配置や上記キー操作は一例であり、これに限定されるものではない。例えば、キーワード表示領域４２と第２コンテンツ表示領域４３と第１コンテンツ表示領域４１との位置関係は、上述に限定されるものではない。また、キーワード表示領域４２に表示されるものはタブである必要は無く、ユーザ操作可能なリストであってもよい。
【０１１７】
（コンテンツ表示処理装置におけるコンテンツの表示画面の遷移例）
次に、図５（ａ）〜（ｇ）を参照しながら、ユーザ操作によりコンテンツ表示処理装置１において関連するコンテンツを表示していく様子について説明する。図５（ａ）〜（ｇ）は、ユーザ操作によりコンテンツ表示処理装置１において関連するコンテンツを表示していく様子を示す図である。
【０１１８】
まず、図５（ａ）は、コンテンツ表示処理装置１の電源投入直後やユーザによるコンテンツ閲覧開始指示後などに初期表示する画面の一例を示す模式図である。初期表示する画面では、ユーザがコンテンツを選択する前の状態であるため、あらかじめ設定された所定のコンテンツを表示部４０の第１コンテンツ表示領域４１に表示する。この例では「今日のトップニュース」というコンテンツを表示している。
【０１１９】
また、初期表示する画面では、あらかじめ設定された所定のキーワード（以下、「初期キーワード」と称する）を表示部４０のキーワード表示領域４２に表示する。この例では「政治」と「芸能」と「スポーツ」というキーワードを表示している。そして、初期キーワードのうち、所定のキーワードをあらかじめ選択した状態にしておく。この例では左端の「政治」というキーワードを選択している。なお、初期キーワードは、例えば記憶部２０にあらかじめ設定されている。また、あらかじめ選択しておく所定キーワードの設定も例えば記憶部２０に格納されている。
【０１２０】
さらに、表示部４０のキーワード表示領域４２の上記初期キーワードが付与されたコンテンツを表示部４０の第２コンテンツ表示領域４３に表示する。また、表示部４０の第２コンテンツ表示領域４３に表示されるコンテンツの中から所定のコンテンツをあらかじめ選択した状態にしておく。この例では上端の「首相の訪米は」というコンテンツを選択している。なお、あらかじめ選択しておく所定コンテンツの設定は例えば記憶部２０に格納されている。
【０１２１】
次に、図５（ｂ）は、図５（ａ）にて説明した画面例において、ユーザ操作により、表示部４０のキーワード表示領域４２を操作した後の様子を示す模式図である。この例では、例えばリモコンの左右方向キーの操作により、「スポーツ」というキーワードを選択している。そして、「スポーツ」を選択したことにより、表示部４０の第２コンテンツ表示領域４３には、「スポーツ」に関連したコンテンツを表示している。
【０１２２】
次に、図５（ｃ）は、図５（ｂ）にて説明した画面例において、ユーザ操作により、表示部４０の第２コンテンツ表示領域４３を操作した後の様子を示す模式図である。この例では、例えばリモコンの上下方向キーの操作により、「松本逆転３ラン」というコンテンツを選択している。
【０１２３】
次に、図５（ｄ）は、図５（ｃ）にて説明した画面例において、ユーザ操作により、コンテンツを決定したときの画面表示の一例を示す模式図である。図５（ｃ）にて「松本逆転３ラン」というコンテンツを選択した後、例えばリモコンの決定キーの操作により、表示部４０の第１コンテンツ表示領域４１に「松本逆転３ラン」のコンテンツを表示する。そして、これに伴い、表示部４０のキーワード表示領域４２の表示を切り替えている。すなわち、「松本逆転３ラン」というコンテンツに付与されたキーワードである「ナンキース」と「松本」と「スポーツ」とを表示している。なお、また、このとき、あらかじめ所定のキーワードを選択した状態にしておく。この例では左端の「ナンキース」というキーワードを選択している。
【０１２４】
さらに、表示部４０の第２コンテンツ表示領域４３には上記選択された「ナンキース」というキーワードが付与されたコンテンツを表示し、所定のコンテンツを選択した状態にしておく。この例では上端の「オーナ、最近のチー」というコンテンツを選択している。
【０１２５】
次に、図５（ｅ）は、図５（ｄ）にて説明した画面例において、ユーザ操作により、表示部４０のキーワード表示領域４２を操作した後の様子を示す模式図である。この例では、例えばリモコンの左右方向キーの操作により、「松本」というキーワードを選択している。そして、「松本」を選択したことにより、表示部４０の第２コンテンツ表示領域４３には、「松本」に関連したコンテンツを表示している。
【０１２６】
次に、図５（ｆ）は、図５（ｅ）にて説明した画面例において、ユーザ操作により、表示部４０の第２コンテンツ表示領域４３を操作した後の様子を示す模式図である。この例では、例えばリモコンの上下方向キーの操作により、「石川県の星空高が」というコンテンツを選択している。
【０１２７】
次に、図５（ｇ）は、図５（ｆ）にて説明した画面例において、ユーザ操作により、コンテンツを決定したときの画面表示の一例を示す模式図である。図５（ｆ）にて「石川県の星空高が」というコンテンツを選択しているので、例えばリモコンの決定キーの操作により、表示部４０の第１コンテンツ表示領域４１に上記コンテンツを表示する。そして、これに伴い、表示部４０のキーワード表示領域４２の表示を切り替えている。すなわち、上記コンテンツに付与されたキーワードである「星空高校」と「松本」と「甲子園」とを表示している。なお、このとき、所定のキーワードをあらかじめ選択した状態にしておく。この例では左端の「星空高校」というキーワードを選択している。
【０１２８】
さらに、表示部４０の第２コンテンツ表示領域４３には上記選択された「星空高校」というキーワードが付与されたコンテンツを表示し、所定のコンテンツをあらかじめ選択した状態にしておく。この例では上端の「入試合格者数が」というコンテンツを選択している。
【０１２９】
以上のように、ユーザ操作により、表示部４０のキーワード表示領域４２および第２コンテンツ表示領域４３をユーザが操作することにより、関連するコンテンツを次々と閲覧することができる。
【０１３０】
ここで、入力操作部６０が、第１入力操作部６１として左右方向のキー、第２入力操作部６２として上下方向のキー、および第３入力操作部６３として決定キーを備えるリモコンなどの場合、例えばユーザによる左右方向キーの操作により、キーワード表示領域４２のタブを選択し、例えばユーザによる上下方向キーの操作により、第２コンテンツ表示領域４３のコンテンツを選択し、例えばユーザによる決定キーの操作により該選択したコンテンツを決定するように設定しておいてもよい。これにより、リモコンなどの操作のみでコンテンツ表示処理装置１に対する操作が可能となり、ユーザの利便性を高めることができる。
【０１３１】
また、キーワード表示領域４２のタブの選択は、ユーザ操作により行われるものでなくてもよく、所定のタイミングにより自動的に行われてもよい。例えば、図５（ａ）〜図５（ｃ）にて説明した画面例において、表示部４０のキーワード表示領域４２に表示しているキーワード「政治」および「芸能」および「スポーツ」が、所定のタイミング（例えば５秒毎など）に応じて、順次自動的に選択されてもよい。そして、該選択に応じて、対応するコンテンツを表示部４０の第２コンテンツ表示領域４３に表示する。これにより、表示部４０のキーワード表示領域４２のタブをユーザが選択する操作を省略することができるため、ユーザの利便性を高めることができる。
【０１３２】
なお、上記表示画面や上記操作は一例に過ぎず、これに限定されるものではない。
【０１３３】
（キーワード表示の応用例）
次に、図６、図７（ａ）、図７（ｂ）および図８を参照しながら、表示部４０のキーワード表示領域４２の他の表示例について説明する。
【０１３４】
図６は、図４にて説明した画面例において、表示部４０のキーワード表示領域４２に表示する初期キーワードを常に表示する例を示す模式図である。この例では、画面左側の領域１０１に上記初期キーワードである「政治」と「スポーツ」と「芸能」とを常に表示する。したがって、表示部４０の第１コンテンツ表示領域４１に表示するコンテンツが更新され、それに伴い、表示部４０のキーワード表示領域４２に表示するキーワードが更新されても、上記初期キーワードは常に選択可能となるため、ユーザの利便性が向上する。
【０１３５】
図７（ａ）および図７（ｂ）は、ユーザ操作により、初期キーワードに新たなキーワードを追加する例を示す模式図である。図７（ａ）では、図４にて説明した画面例において、表示部４０のキーワード表示領域４２に表示されているキーワードをユーザが選択し、所定の操作を行うことにより、該選択したキーワードを、上記初期キーワードに追加する様子を示す模式図である。ここでは、「松本」というキーワードを選択したあと、所定操作を行うことにより初期キーワードに追加しようとしており、追加するか否かをポップアップ画面にてユーザに確認している。
【０１３６】
そして、図７（ｂ）は、新たなキーワードを初期キーワードに追加した後の、初期表示の画面の様子を示した模式図である。この例では、図７（ａ）で追加しようとしていた「松本」というキーワードが、「政治」と「スポーツ」と「芸能」に加えて新たに初期キーワードに追加されていることがわかる。これにより、初期表示される画面において、ユーザは関心あるキーワードが付与されたコンテンツを閲覧するのに要する時間を短縮することができるので、ユーザの利便性が向上する。なお、追加したキーワードは、記憶部２０などに格納され、初期表示画面を表示するときに、記憶部２０から読み出されて表示される。
【０１３７】
図８は、図４にて説明した画面例において、過去に選択したキーワードの履歴を表示する例を示す模式図である。この例では、表示部４０のキーワード表示領域４２とは別の画面下側の領域１０２に、過去に選択した「東海沖で」および「松本  逆転」というキーワードを表示している。このように、過去に選択したキーワードを表示しておくことにより、過去に選択したキーワードに関連しないコンテンツを閲覧中に、再び過去に選択したキーワードが付与されたコンテンツを閲覧したい場合、該コンテンツを閲覧するのに要する時間を短縮することができるので、ユーザの利便性が向上する。
【０１３８】
なお、過去に選択したキーワードの履歴は、検索可能な状態で記憶部２０に記憶しておけばよい。また、過去に選択したキーワードの数が多い場合は、最近選択したことがあるキーワードから順に所定数だけ表示するなどの所定条件により、過去に選択したキーワードを絞り込んで表示してもよい。
【０１３９】
（コンテンツ表示処理装置の適用例）
上述の実施例において、コンテンツ表示処理装置１において表示処理するコンテンツとして、ニュース記事を例にして説明した。コンテンツ表示処理装置１適用して表示処理するのに適するコンテンツは、ニュース記事に限られない。図９〜１３を参照しながら、コンテンツ表示処理装置１を適用して表示処理するのに適する他のコンテンツについて、例を挙げて説明する。
【０１４０】
（適用例１  電子ファイル）
図９は、本実施形態に係るコンテンツ表示処理装置１にて、ファイルサーバなどに蓄積されている電子ファイルを表示処理する様子を示す模式図である。この例では、「提案書」に関する電子ファイル、「Ａ社」に関する電子ファイル、「イントラ」に関する電子ファイルなどのように、電子ファイルを分類するカテゴリーをキーワードとして表示部４０のキーワード表示領域４２に表示している。そして、表示部４０の第２コンテンツ表示領域４３に表示される電子ファイルがユーザにより選択されることにより、次々と関連する電子ファイルを表示処理することができる。
【０１４１】
（適用例２  ブログサイト）
図１０は、本実施形態に係るコンテンツ表示処理装置１にて、インターネット上のブログサイトを表示処理する様子を示す模式図である。この例では、ブログに記載されているキーワードや、ブログに記載されているハイパーリンク先のブログなどをキーワードとして表示部４０のキーワード表示領域４２に表示している。そして、表示部４０の第２コンテンツ表示領域４３に表示されるブログサイトがユーザにより選択されることにより、次々と関連するブログサイトを表示処理することができる。
【０１４２】
（適用例３  地域情報）
図１１は、本実施形態に係るコンテンツ表示処理装置１にて、インターネット上の地域情報を表示処理する様子を示す模式図である。この例では、地域名称や店舗種別などをキーワードとして表示部４０のキーワード表示領域４２に表示している。そして、表示部４０の第２コンテンツ表示領域４３に表示される地域情報がユーザにより選択されることにより、次々と関連する地域情報を表示処理することができる。
【０１４３】
さらに、図１２は、図１１にて説明した、地域情報を表示する画面に辿りつく前の段階において、地域を絞り込むための画面例を示す模式図である。図１２では、表示部４０の第１コンテンツ表示領域４１に地域の選択が可能な地図を表示している。この例では、７つの地域が選択可能な日本地図を表示している。そして、例えばユーザによる方向キーなどの操作により、上記地図上の地域を選択すると、該選択した地域に含まれる、より詳細な地名をキーワードとして表示部４０のキーワード表示領域４２に表示している。この例では、日本地図上の「関東」を選択することにより、「東京」と「神奈川」と「千葉」と「埼玉」とを表示部４０のキーワード表示領域４２に表示している。そして、表示部４０の第２コンテンツ表示領域４３には、キーワード表示領域４２に表示する地名に関連する地域情報を表示している。これにより、ユーザは知りたい地域を絞り込んだ後、関連する地域情報を閲覧することが可能となるため、ユーザの利便性が向上する。
【０１４４】
さらに、図１３（ａ）および１２（ｂ）は、図１２にて示した地域の絞込みを２段階以上行う場合の画面例を示す模式図である。
【０１４５】
まず、図１３（ａ）は、図１２にて示した地域の絞込みを２段階以上行う場合の、１段階目の絞込みの画面例を示す模式図である。図１３（ａ）では、図１２と同様に、表示部４０の第１コンテンツ表示領域４１に地域の選択が可能な地図を表示している。そして、例えばユーザによる方向キーなどの操作により、上記地図上の地域を選択すると、該選択した地域に含まれる、より詳細な地名をキーワードとして表示部４０のキーワード表示領域４２に表示している。この例では、日本地図上の「関東」を選択することにより、「東京」と「神奈川」と「千葉」と「埼玉」とを表示部４０のキーワード表示領域４２に表示している。なお、この画面では、表示部４０の第２コンテンツ表示領域４３は表示していない。
【０１４６】
次に、図１３（ｂ）は、図１２にて示した地域の絞込みを２段階以上行う場合の、２段階目の絞込みの画面例を示す模式図である。例えばユーザによる方向キーなどの操作により、表示部４０のキーワード表示領域４２に表示している地域を選択すると、例えば、図１３（ｂ）に示すとおり、該選択された地域の詳細な地図を表示部４０の第１コンテンツ表示領域４１に表示する。ここでは、「東京」の詳細な地図を表示している。そして、ユーザによる方向キーなどの操作により、上記地図上の地域を選択すると、該選択した地域に含まれる、より詳細な地名をキーワードとして表示部４０のキーワード表示領域４２に表示している。この例では、東京の詳細地図上の「渋谷区」を選択することにより、「渋谷」と「原宿」と「代官山」と「表参道」とを表示部４０のキーワード表示領域４２に表示している。そして、表示部４０の第２コンテンツ表示領域４３には、キーワード表示領域４２に表示する地名に関連する地域情報を表示している。このように、ユーザは知りたい地域を絞り込んだ後、関連する地域情報を閲覧することが可能となるため、ユーザの利便性が向上する。
【０１４７】
さらに、図１４（ａ）および図１４（ｂ）は、それぞれ図１３（ａ）および図１３（ｂ）にて説明した絞り込みを行う画面の他の例を示す図である。図１４（ａ）では、図１２と同様に、表示部４０の第１コンテンツ表示領域４１に地域の選択が可能な地図を表示している。この例では、７つの地域が選択可能な日本地図を表示している。そして、例えばユーザによる方向キーなどの操作により、上記地図上の地域を選択すると、該選択した地域に含まれる、より詳細な地名をポップアップ表示している。この例では、日本地図上の「関東」を選択することにより、「東京」と「神奈川」と「千葉」と「埼玉」とをポップアップ表示している。なお、この画面では、キーワード表示領域４２および第２コンテンツ表示領域４３は表示していない。
【０１４８】
次に、例えばユーザによる方向キーなどの操作により、ポップアップ表示している地域を選択すると、例えば、図１４（ｂ）に示すとおり、該選択された地域の詳細な地図を表示部４０の第１コンテンツ表示領域４１に表示する。ここでは、「東京」のより詳細な地図を表示している。そして、ユーザによる方向キーなどの操作により、上記地図上の地域を選択すると、該選択した地域に含まれる、より詳細な地名をポップアップ表示している。この例では、東京の地図上の「渋谷区」を選択することにより、「渋谷」と「原宿」と「代官山」と「表参道」とをポップアップ表示している。そして、表示部４０の第２コンテンツ表示領域４３には、キーワード表示領域４２に表示する地名に関連する地域情報を表示している。このように、ユーザは地域を絞り込んだ後、該地域に関連する地域情報を閲覧することが可能となるため、ユーザの利便性が向上する。なお、この画面では第２コンテンツ表示領域４３は表示していない。
【０１４９】
〔実施の形態２〕
実施の形態１におけるコンテンツ表示処理装置１は、表示部４０のキーワード表示領域４２にてユーザが選択したキーワードが付与された第２のコンテンツのすべてが、表示部４０の第２コンテンツ表示領域４３に表示される。しかしながら、表示部４０の第２コンテンツ表示領域４３に表示される第２のコンテンツが多いときは、さらにユーザの所望するコンテンツだけを表示するように絞込みが行えるほうが望ましい。そこで、本実施形態では、第１のキーワードと、第１のキーワードに関連する第２のキーワードとを用いて、表示部４０の第２コンテンツ表示領域４３に表示される第２のコンテンツを絞り込むようにする。
【０１５０】
本実施形態について図１５から図１９に基づいて説明すれば、以下の通りである。なお、説明の便宜上、実施の形態１にて示した各部材と同一の機能を有する部材には、同一の符号を付記し、その説明を省略する。
【０１５１】
（コンテンツ表示処理装置の構成）
本実施の形態に係るコンテンツ表示処理装置１ｂは、実施の形態１におけるコンテンツ表示処理装置１と同様に、受信したコンテンツデータ３に基づいてコンテンツを表示処理するクライアントである。そのために、コンテンツ表示処理装置１ｂは、図１５に示すように、制御部１０ｂ、記憶部２０、通信部３０、表示部４０ｂ、入力操作部６０、および入出力制御部７０を備えて構成される。
【０１５２】
表示部４０ｂは、表示制御部７４より送られた情報を表示する。表示部４０ｂは、例えばＬＣＤで構成される。表示部４０ｂに表示する情報にはコンテンツデータ３が含まれる。
【０１５３】
そして、表示部４０ｂは、後述する第１コンテンツ取得部１２１が取得した第１のコンテンツを表示する第１コンテンツ表示領域４１、後述する第１キーワードリスト生成部１２３ｂが生成した第１のキーワードのタブまたはリストを表示する第１キーワード表示領域４２ｂ、後述する第２キーワードリスト生成部１２７ｂが生成した第２のキーワードのタブまたはリストを表示する第２キーワード表示領域４４ｂ、後述する第２コンテンツリスト生成部１２５が生成した第２のコンテンツのタブまたはリストを表示する第２コンテンツ表示領域４３を含んでいる。第１コンテンツ表示領域４１と第１キーワード表示領域４２ｂと第２キーワード表示領域４４ｂと第２コンテンツ表示領域４３とは、それぞれをユーザが閲覧できるように重ならないことが望ましい。
【０１５４】
なお、第１キーワード表示領域４２ｂおよび第２キーワード表示領域４４ｂは、例えばユーザ操作により選択可能なタブまたはリストなどを表示する。同様に、第２コンテンツ表示領域４３は、例えばユーザ操作により選択可能なタブまたはリストなどを表示する。
【０１５５】
なお、表示部４０ｂは、必ずしもコンテンツ表示処理装置１ｂに備えられる必要はなく、外部装置としてコンテンツ表示処理装置１ｂに通信可能に接続される構成でもよい。
【０１５６】
入力操作部６０は、第１キーワード表示領域４２ｂに表示される第１のキーワードのタブまたはリストを選択するための第１入力操作部６１ｂ（図示せず）、第２キーワード表示領域４４ｂに表示される第２のキーワードのタブまたはリストを選択するための第２入力操作部６２ｂ（図示せず）、第２コンテンツ表示領域４３に表示される第２のコンテンツのタブまたはリストを選択するための第３入力操作部６３ｂ（図示せず）、第２コンテンツ表示領域４３に表示される第２のコンテンツを第１のコンテンツとして第１コンテンツ表示領域４１に表示することを決定するための第４入力操作部６４ｂ（図示せず）を含んでいてもよい。例えば、第１入力操作部６１ｂはリモコンなどの上方向キーであり、第２入力操作部６２ｂはリモコンなどの右方向キーであり、第３入力操作部６３ｂはリモコンなどの下方向キーであり、第４入力操作部６４ｂはリモコンなどの決定方向キーであればよい。
【０１５７】
次に、制御部１０ｂについて説明する。制御部１０ｂは、コンテンツデータ取得部１１、表示データ生成部１２ｂ、入力操作解析部１３ｂを備えている。
【０１５８】
表示データ生成部１２ｂは、コンテンツデータ取得部１１が受信したコンテンツデータ３または、記憶部２０に格納されているコンテンツおよび付加情報に基づいて、表示部４０ｂに表示するデータを生成する。そのために、表示データ生成部１２ｂは、第１コンテンツ取得部１２１ｂ、第１キーワード取得部１２２ｂ、第１キーワードリスト生成部１２３ｂ、第２キーワード取得部１２６ｂ、第２キーワードリスト生成部１２７ｂ、第２コンテンツ取得部１２４ｂ、第２コンテンツリスト生成部１２５ｂを備えている。
【０１５９】
第１コンテンツ取得部１２１ｂは、後述する入力操作解析部１３の第２コンテンツ選択検出部１３１ｂから送信される識別情報に対応する第１のコンテンツ、または、コンテンツ表示処理装置１ｂの電源投入直後やユーザによるコンテンツ閲覧開始指示後などに初期表示する第１のコンテンツを取得する。併せて該第１のコンテンツを表示するにあたり必要な付加情報（該コンテンツの見出しや、要約文など）を取得する。
【０１６０】
ここで、第１コンテンツ取得部１２１ｂは、該第１のコンテンツおよび付加情報を、コンテンツ記憶部２１および付加情報記憶部２２を検索して取得してもよいし、コンテンツデータ取得部１１が取得したコンテンツデータ３に含まれるコンテンツおよび付加情報から取得してもよい。
【０１６１】
そして、これら取得した第１のコンテンツおよび付加情報を、表示制御部７４を介して表示部４０ｂの第１コンテンツ表示領域４１ｂに表示する指示を与える。
【０１６２】
そして、第１コンテンツ取得部１２１ｂは、上記取得した第１のコンテンツまたは付加情報に含まれる、該第１のコンテンツを識別可能な識別情報（コンテンツのＩＤなど）を第１キーワード取得部１２２ｂに送信する。
【０１６３】
第１キーワード取得部１２２ｂは、後述する入力操作解析部１３の第２コンテンツ選択検出部１３１ｂから送信される第２のコンテンツの識別情報を受信したとき、または、第１コンテンツ取得部１２１ｂが取得した第１のコンテンツの識別情報を受信したとき、該コンテンツに付与された１または複数の第１のキーワードを取得する。また、第１キーワード取得部１２２ｂは、第１のキーワードを、付加情報記憶部２２を検索して取得してもよいし、コンテンツデータ取得部１１が取得したコンテンツデータ３に含まれる付加情報から取得してもよい。
【０１６４】
そして、第１キーワード取得部１２２ｂは、取得した第１のキーワードを第１キーワードリスト生成部１２３ｂおよび第２キーワード取得部１２６ｂおよび第２コンテンツ取得部１２４ｂに送信する。
【０１６５】
なお、コンテンツ表示処理装置１ｂの電源投入直後などに初期表示される画面においては、あらかじめ記憶部２０などに設定された所定のキーワードが表示部４０の第１キーワード表示領域４２ｂに表示される。そのため、コンテンツ表示処理装置１ｂの電源投入直後などにおいては、第１キーワード取得部１２２ｂは、上記あらかじめ設定された所定のキーワードを記憶部２０などから取得する。
【０１６６】
第１キーワードリスト生成部１２３ｂは、第１キーワード取得部１２２ｂから受信した第１のキーワードを基にユーザが選択可能なタブまたはリストを生成し、該生成したタブまたはリストを表示制御部７４を介して表示部４０ｂの第１キーワード表示領域４２ｂに表示する指示を与える。
【０１６７】
第２キーワード取得部１２６ｂは、後述する入力操作解析部１３の第１キーワード選択検出部１３２ｂから送信される第１のキーワードを受信したとき、または、第１キーワード取得部１２２ｂが取得した第１のキーワードを受信したとき、該第１のキーワードに関連する１または複数の第２のキーワードを取得する。また、第２キーワード取得部１２６ｂは、第２のキーワードを、あらかじめに記憶部２０に設定されている、第１のキーワードと第２のキーワードとが関連付けられた情報を検索して取得してもよいし、また、コンテンツデータ取得部１１が取得したコンテンツデータ３の付加情報に、第１のキーワードと第２のキーワードとが関連付けられた情報が含まれている場合は、該情報から取得してもよい。
【０１６８】
そして、第２キーワード取得部１２６ｂは、取得した第２のキーワードを第２キーワードリスト生成部１２７ｂおよび第２コンテンツ取得部１２４ｂに送信する。
【０１６９】
第２キーワードリスト生成部１２７ｂは、第２キーワード取得部１２６ｂから受信した第２のキーワードを基にユーザが選択可能なタブまたはリストを生成し、該生成したタブまたはリストを表示制御部７４を介して表示部４０ｂの第２キーワード表示領域４４ｂに表示する指示を与える。
【０１７０】
第２コンテンツ取得部１２４ｂは、後述する入力操作解析部１３の第２キーワード選択検出部１３３ｂから送信される第２のキーワードを受信したとき、または、第２キーワード取得部１２６ｂから第２のキーワードを受信したとき、該第２のキーワードと第１キーワード取得部１２２ｂから受信した第１のキーワードとを付加情報として含んでいる１または複数の第２のコンテンツ、および該第２のコンテンツの付加情報を取得する。
【０１７１】
ここで、第２コンテンツ取得部１２４ｂは、該第２のコンテンツおよびその付加情報を、コンテンツ記憶部２１および付加情報記憶部２２を検索して取得してもよいし、コンテンツデータ取得部１１が取得したコンテンツデータ３に含まれるコンテンツおよび付加情報から取得してもよい。
【０１７２】
そして、該取得した第２のコンテンツおよびその付加情報を第２コンテンツリスト生成部１２５ｂに送信する。
【０１７３】
第２コンテンツリスト生成部１２５ｂは、第２コンテンツ取得部１２４ｂから受信した第２のコンテンツまたは付加情報に基づいて、ユーザが該第２のコンテンツを選択可能なタブまたはリストを生成し、該生成したリストを表示制御部７４を介して表示部４０ｂの第２コンテンツ表示領域４３に表示する指示を与える。
【０１７４】
入力操作解析部１３ｂは、入力操作部６０が送信するユーザの入力操作に応じた入力信号を入力操作制御部７６を介して受信する。そして、該入力信号を解析し、１）第２のコンテンツを選択する入力操作に対する信号であるか、または、２）第１のキーワードを選択する入力操作に対する信号であるか、または、３）第２のキーワードを選択する入力操作に対する信号であるかを検出する。そのために、入力操作解析部１３は、第２コンテンツ選択検出部１３１ｂと第１キーワード選択検出部１３２ｂと第２キーワード選択検出部１３３ｂとを備える。
【０１７５】
第２コンテンツ選択検出部１３１ｂは、入力操作制御部７６から受信した信号に基づいて、表示部４０の第２コンテンツ表示領域４３に表示される第２のコンテンツをユーザが選択したかどうかを検出する。そして、第２のコンテンツを選択したことを検出したときは、コンテンツデータ取得部１１に対して上記選択された第２のコンテンツのコンテンツデータ３の取得要求を送信する。また、第１コンテンツ取得部１２１ｂおよび第１キーワード取得部１２２ｂに対して、上記選択した第２のコンテンツの識別情報を送信する。
【０１７６】
第１キーワード選択検出部１３２ｂは、入力操作制御部７６から受信した信号に基づいて、表示部４０の第１キーワード表示領域４２ｂに表示される第１のキーワードをユーザが選択したかどうかを検出する。そして、第１のキーワードを選択したことを検出したときは、第２キーワード取得部１２６ｂに上記選択した第１のキーワードを送信する。
【０１７７】
第２キーワード選択検出部１３３ｂは、入力操作制御部７６から受信した信号に基づいて、表示部４０の第２キーワード表示領域４４ｂに表示される第２のキーワードをユーザが選択したかどうかを検出する。そして、第２のキーワードを選択したことを検出したときは、第２コンテンツ取得部１２４ｂに上記選択した第２のキーワードを送信する。
【０１７８】
（第１のキーワードと第２のキーワードとの対応づけ）
図１６を参照しながら、第１のキーワードと第２のキーワードとの対応付けのデータ構造について説明する。図１６は、第１のキーワードと第２のキーワードとの対応付けのデータ構造を模式的に示す図である。図１６に示すように、第１のキーワードに対し、１または複数の第２のキーワードが対応付けられている。コンテンツの付加情報が図１６に示すデータ構造を含んでいてもよいし、記憶部２０に図１６に示すデータ構造があらかじめ格納されていてもよい。
【０１７９】
この例では、「松本」という第１のキーワードに対して、「怪我」、「契約更改」、「星空高」という第２のキーワードが対応付けられている。また、「ナンキース」という第１のキーワードに対して、「Ｂロッド」、「クレランス」という第２のキーワードが対応付けられている。なお、この例では、１つの第１のキーワードに対応づく第２のキーワードが２つまたは３つの場合について例を挙げて記載しているが、これに限られるものではない。
【０１８０】
（コンテンツ表示処理装置における処理の流れ）
次に、図１７を参照しながら、コンテンツ表示処理装置１ｂがコンテンツデータ３を表示し、ユーザ操作によりコンテンツの表示を更新する手順について説明する。図１７は、コンテンツ表示処理装置１ｂがコンテンツデータ３を表示し、ユーザ操作により関連するコンテンツに切り替えて表示処理する手順を示すフローチャートである。
【０１８１】
コンテンツ表示処理装置１ｂの電源投入直後や、ユーザからの入力操作部６０へのコンテンツ閲覧開始指示があったとき、コンテンツデータ取得部１１がコンテンツ取得要求を外部サーバに送信し、初期表示指示する第１のコンテンツおよび該コンテンツに関連するコンテンツのコンテンツデータ３を通信部３０を介して取得する（Ｓ３１）。なお、取得したコンテンツデータ３に含まれるコンテンツをコンテンツ記憶部２１に格納してもよいし、また、該受信したコンテンツデータ３に含まれる付加情報を付加情報記憶部２２に格納してもよい。
【０１８２】
次に、第１コンテンツ取得部１２１ｂが、コンテンツデータ取得部１１が取得したコンテンツデータ３、または、コンテンツ記憶部２１および付加情報記憶部２２に格納されたコンテンツデータ３から、初期表示指示する第１のコンテンツおよび該コンテンツを表示するにあたり必要な付加情報を取得し、表示部４０ｂの第１コンテンツ表示領域４１に出力する（Ｓ３２）。
【０１８３】
そして、第１キーワード取得部１２２ｂが、第１コンテンツ取得部１２１ｂが取得した上記第１のコンテンツに付与された１または複数の第１のキーワードを取得する。そして、第１キーワードリスト生成部１２３ｂが該第１のキーワードを基にユーザが選択可能なタブまたはリストを生成し、該生成したタブまたはリストを表示制御部７４を介して表示部４０ｂの第１キーワード表示領域４２ｂに出力する（Ｓ３３）。
【０１８４】
そして、第２キーワード取得部１２６ｂが、第１キーワード取得部１２２ｂが取得した上記第１のキーワードに関連する１または複数の第２のキーワードを取得する。そして、第２キーワードリスト生成部１２７ｂが該第２のキーワードを基にユーザが選択可能なタブまたはリストを生成し、該生成したタブまたはリストを表示制御部７４を介して表示部４０ｂの第２キーワード表示領域４４ｂに出力する（Ｓ３４）。
【０１８５】
そして、第２コンテンツ取得部１２４ｂが、第１キーワード取得部１２２ｂが取得した上記第１のキーワードおよび第２キーワード取得部１２６ｂが取得した上記第２のキーワードを付加情報に含む１または複数の第２のコンテンツおよび該コンテンツの付加情報を取得する。そして、第２コンテンツリスト生成部１２５ｂが、第２コンテンツ取得部１２４ｂが取得した上記第２のコンテンツおよび該コンテンツの付加情報を基に、ユーザが選択可能なタブまたはリストを生成し、該生成したタブまたはリストを表示制御部７４を介して表示部４０ｂの第２コンテンツ表示領域４３に出力する（Ｓ３５）。
【０１８６】
次に、入力操作部６０からのユーザ操作により、表示部４０の第１キーワード表示領域４２ｂに表示されている第１のキーワードが選択されたことを第１キーワード選択検出部１３２ｂが検出したとき（Ｓ３６にてＹＥＳ）、第２キーワード取得部１２６ｂが、該選択された第１のキーワードと関連する１または複数の第２のキーワードを取得する。そして、第２キーワードリスト生成部１２７ｂが、該第２のキーワードを基に、ユーザが選択可能なタブまたはリストを生成し、該生成したタブまたはリストを表示制御部７４を介して表示部４０ｂの第２キーワード表示領域４４ｂに出力する（Ｓ３７）。これにより、ユーザが新たに第１のキーワードを選択すると、表示部４０の第２キーワード表示領域４４ｂに表示される第２のキーワードが更新される。
【０１８７】
次に、入力操作部６０からのユーザ操作により、表示部４０の第１キーワード表示領域４２ｂに表示されている第１のキーワードが新たに選択されず（Ｓ３６にてＮＯ）、表示部４０の第２キーワード表示領域４４ｂに表示されている第２のキーワードが選択されたことを第２キーワード選択検出部１３３ｂが検出したとき（Ｓ３８にてＹＥＳ）、第２コンテンツ取得部１２４ｂが、すでに選択されている第１のキーワードと上記選択された第２のキーワードとを付加情報に含む１または複数の第２のコンテンツおよび該コンテンツの付加情報を取得する。そして、第２コンテンツリスト生成部１２５ｂが、該第２のコンテンツおよび該コンテンツの付加情報を基に、ユーザが選択可能なタブまたはリストを生成し、該生成したタブまたはリストを表示制御部７４を介して表示部４０ｂの第２コンテンツ表示領域４３に出力する（Ｓ３９）。これにより、ユーザが新たに第２のキーワードを選択すると、表示部４０の第２コンテンツ表示領域４３に表示されるコンテンツが更新される。
【０１８８】
次に、入力操作部６０からのユーザ操作により、表示部４０の第２キーワード表示領域４４ｂに表示されている第２のキーワードが新たに選択されず（Ｓ３８にてＮＯ）、表示部４０の第２コンテンツ表示領域４３に表示されている第２のコンテンツが選択されたことを第２コンテンツ選択検出部１３１ｂが検出したとき（Ｓ４０にてＹＥＳ）、コンテンツデータ取得部１１がコンテンツ取得要求を外部サーバに送信し、該選択された第２のコンテンツおよび該コンテンツに関連するコンテンツのコンテンツデータ３を通信部３０を介して取得する（Ｓ４１）。
【０１８９】
なお、該選択された第２のコンテンツおよび該コンテンツに関連するコンテンツのコンテンツデータ３をすでに取得済みであれば、外部サーバから取得しなくてよい。なお、取得したコンテンツデータ３に含まれるコンテンツをコンテンツ記憶部２１に格納してもよいし、また、該受信したコンテンツデータ３に含まれる付加情報を付加情報記憶部２２に格納してもよい。
【０１９０】
次に、第１コンテンツ取得部１２１ｂが、コンテンツデータ取得部１１が取得したコンテンツデータ３、または、コンテンツ記憶部２１および付加情報記憶部２２に格納されたコンテンツデータ３から、ユーザが選択した第２のコンテンツおよび該コンテンツを表示するにあたり必要な付加情報を取得し、表示部４０ｂの第１コンテンツ表示領域４１に第１のコンテンツとして表示する指示を与える（Ｓ４２）。
【０１９１】
そして、第１キーワード取得部１２２ｂが、第１コンテンツ取得部１２１ｂが取得した上記コンテンツに付与された１または複数の第１のキーワードを取得する。そして、第１キーワードリスト生成部１２３ｂが該第１のキーワードを基にユーザが選択可能なタブまたはリストを生成し、該生成したタブまたはリストを表示制御部７４を介して表示部４０ｂの第１キーワード表示領域４２ｂに出力する（Ｓ４３）。
【０１９２】
そして、第２キーワード取得部１２６ｂが、第１キーワード取得部１２２ｂが取得した上記第１のキーワードに関連する１または複数の第２のキーワードを取得する。そして、第２キーワードリスト生成部１２７ｂが該第２のキーワードを基にユーザが選択可能なタブまたはリストを生成し、該生成したタブまたはリストを表示制御部７４を介して表示部４０ｂの第２キーワード表示領域４４ｂに出力する（Ｓ４４）。
【０１９３】
そして、第２コンテンツ取得部１２４ｂが、第１キーワード取得部１２２ｂが取得した上記第１のキーワードおよび第２キーワード取得部１２６ｂが取得した上記第２のキーワードを付加情報に含む１または複数の第２のコンテンツおよび該コンテンツの付加情報を取得する。そして、第２コンテンツリスト生成部１２５ｂが、第２コンテンツ取得部１２４ｂが取得した上記第２のコンテンツおよび該コンテンツの付加情報を基に、ユーザが選択可能なタブまたはリストを生成し、該生成したタブまたはリストを表示制御部７４を介して表示部４０ｂの第２コンテンツ表示領域４３に出力する（Ｓ４５）。
【０１９４】
以上のように、ユーザが表示部４０の第２コンテンツ表示領域４３にて第２のコンテンツを選択すると、該選択した第２のコンテンツが第１のコンテンツとして表示部４０の第１コンテンツ表示領域４１に表示され、また、表示部４０の第１キーワード表示領域４２ｂに表示される第１キーワードが、該第１のコンテンツに付与された第１のキーワードに更新される。そして、表示部４０の第１キーワード表示領域４２ｂに表示される第１のキーワードに応じて、表示部４０の第２キーワード表示領域４４ｂに表示される第２のキーワードが更新される。そして、表示部４０の第１キーワード表示領域４２ｂに表示される第１のキーワードおよび表示部４０の第２キーワード表示領域４４ｂに表示される第２のキーワードに応じて、表示部４０の第２コンテンツ表示領域４３に表示される第２のコンテンツが更新される。
【０１９５】
なお、入力操作部６０からのユーザ操作により、表示部４０の第２コンテンツ表示領域４３に表示されている第２のコンテンツが選択されないときは（Ｓ４０にてＮＯ）、ステップＳ３６へ戻る。
【０１９６】
（コンテンツ表示処理装置におけるコンテンツの表示画面例）
次に、図１８および図１９を参照しながら、コンテンツ表示処理装置１ｂにおいてコンテンツを表示処理する画面例について説明する。まず、図１８は、コンテンツ表示処理装置１ｂにおいてコンテンツを表示処理する画面例を示す模式図である。
【０１９７】
図１８に示す例では、表示画面の上側に第１キーワード表示領域４２ｂがユーザ操作可能なタブとして配置されており、表示画面の右側に表示部４０の第２キーワード表示領域４４ｂがユーザ操作可能なリストとして配置されており、表示画面の下側に第２コンテンツ表示領域４３がユーザ操作可能なリストとして配置されている。そして、第１キーワード表示領域４２ｂの下側かつ第２キーワード表示領域４４ｂの左側かつ第２コンテンツ表示領域４３の上側に第１コンテンツ表示領域４１が配置されている。
【０１９８】
そして、この例では、第１コンテンツ表示領域４１には「松本  逆転３ラン」という見出しのニュース記事のコンテンツが表示されている。そして、第１キーワード表示領域４２ｂに、上記第１のコンテンツに付与された第１のキーワードである「ナンキース」および「松本」が表示されており、かつ「松本」が選択されている。上記の「ナンキース」および「松本」は、上述したように、「松本  逆転３ラン」という第１のコンテンツにあらかじめ付加情報として設定されているものであってもよいし、一般的な構文解析などにより上記第１のコンテンツから抽出したものであってもよい。
【０１９９】
そして、第２キーワード表示領域４４ｂには、上記第１のキーワードに関連する第２のキーワードが表示される。この例では、第１のキーワードのうち選択されている「松本」に関連するキーワードとして「怪我」と「契約更改」と「星空高」とが表示されており、かつ「怪我」が選択されている。ここで、上記の第２のキーワードである「怪我」と「契約更改」と「星空高」は、第１のキーワードである「松本」のサブキーワードとしてあらかじめ「松本  逆転３ラン」という第１のコンテンツの付加情報に設定されていてもよいし、第１のキーワードである「松本」に関連する第２キーワードとして記憶部２０にあらかじめ設定されていてもよい。
【０２００】
そして、表示部４０の第２コンテンツ表示領域４３には、第１のキーワードである「松本」および第２キーワードである「怪我」が付与された第２のコンテンツとして、「怪我は完治して」と「開幕戦で外野フライを」と「３Ａで調整中」というコンテンツが表示されている。すなわち、「怪我は完治して」と「開幕戦で外野フライを」と「３Ａで調整中」というコンテンツは、「松本」および「怪我」というキーワードを含んでいる。
【０２０１】
入力操作部６０が、第１入力操作部６１ｂとして上方向のキー、第２入力操作部６２ｂとして右方向のキー、第３入力操作部６３ｂとして下方向のキー、および第４入力操作部６４ｂとして決定キーを備えるリモコンなどの場合、例えばユーザによる上方向キーの操作により、表示部４０の第１キーワード表示領域４２ｂのタブの選択を行うことにより第１のキーワードを選択する。これにより、表示部４０の第２キーワード表示領域４４ｂに表示されるキーワードが切り替わる。
【０２０２】
次に、例えばユーザによる右方向キーの操作により、表示部４０の第２キーワード表示領域４４ｂのリストの選択を行うことにより第２のキーワードを選択する。これにより、表示部４０の第２コンテンツ表示領域４３に表示される第２のコンテンツが切り替わる。
【０２０３】
次に、例えばユーザによる下方向キーの操作により、表示部４０の第２コンテンツ表示領域４３における第２のコンテンツの選択をする。そして、例えばユーザによる決定キーの操作により第２のコンテンツを決定することにより、該決定した第２のコンテンツが第１のコンテンツとして表示部４０の第１コンテンツ表示領域４１に表示される。またこれに伴い、表示部４０の第１キーワード表示領域４２ｂおよび第２キーワード表示領域４４ｂに表示されるキーワードが切り替わる。
【０２０４】
このように、リモコンなどの操作のみでコンテンツ表示処理装置１ｂに対する操作が可能となり、ユーザの利便性を高めることができる。
【０２０５】
なお、上記表示画面の配置や上記キー操作は一例であり、これに限定されるものではない。例えば、第１キーワード表示領域４２ｂと第２キーワード表示領域４４ｂと第２コンテンツ表示領域４３と第１コンテンツ表示領域４１との位置関係は、上述に限定されるものではない。また、表示部４０の第１キーワード表示領域４２ｂに表示されるものはタブである必要は無く、ユーザ操作可能なリストであってもよい。また、第２キーワード表示領域４４ｂに表示されるものはリストである必要は無く、ユーザ操作可能なタブであってもよい。
【０２０６】
次に、図１９は、コンテンツ表示処理装置１ｂにおいてコンテンツを表示処理する他の画面例を示す模式図である。図１９に示す例では、表示画面の下側に第１キーワード表示領域４２ｂがユーザ操作可能なリストとして配置されている。そして、第１のキーワードを選択すると、第２のキーワードを表示する第２キーワード表示領域４４ｂにユーザ操作可能なリストとしてポップアップ表示される。そして、該ポップアップ上の第２のキーワードを選択すると、表示部４０の第２コンテンツ表示領域４３がユーザ操作可能なリストとしてさらに右側にポップアップ表示される。
【０２０７】
図１８にて説明した第１のコンテンツと同様のコンテンツが表示部４０の第１コンテンツ表示領域４１に表示されている。そして、表示部４０の第１キーワード表示領域４２ｂに、上記第１のコンテンツに付与された第１のキーワードである「ナンキース」および「松本」が表示されている。
【０２０８】
そして、第１のキーワードである「松本」を選択すると、関連する第２のキーワードとして「怪我」と「契約更改」と「星空高」とがポップアップ表示される。
【０２０９】
そして、第２のキーワードである「怪我」を選択すると、表示部４０の第２コンテンツ表示領域４３に、第１のキーワードである「松本」および第２のキーワードである「怪我」が付与された第２のコンテンツとして「怪我は完治して」と「開幕戦で外野フライを」と「３Ａで調整中」というコンテンツがポップアップ表示される。
【０２１０】
入力操作部６０が、第１入力操作部６１ｂおよび第２入力操作部６２ｂおよび第３入力操作部６３ｂとして上下方向のキー、および第４入力操作部６４ｂとして決定キーを備えるリモコンなどの場合、例えばユーザによる上下方向キーの操作により、表示部４０の第１キーワード表示領域４２ｂを選択することにより第１のキーワードを選択する。これにより、第２キーワード表示領域４４ｂにおけるキーワードがポップアップ表示される。
【０２１１】
次に、例えばユーザによる上下方向キーの操作により、第２キーワード表示領域４４ｂを選択することにより第２のキーワードを選択する。これにより、表示部４０の第２コンテンツ表示領域４３における第２のコンテンツがポップアップ表示される。
【０２１２】
次に、例えばユーザによる上下方向キーの操作により、表示部４０の第２コンテンツ表示領域４３における第２のコンテンツを選択する。そして、例えばユーザによる決定キーの操作により第２のコンテンツを決定することにより、該決定した第２のコンテンツを第１のコンテンツとして表示部４０の第１コンテンツ表示領域４１に表示する。またこれに伴い、表示部４０の第１キーワード表示領域４２ｂに表示される第１のキーワードが切り替わる。
【０２１３】
このように、リモコンなどの操作のみでコンテンツ表示処理装置１ｂに対する操作が可能となり、ユーザの利便性を高めることができる。
【０２１４】
なお、上記表示画面の配置や上記キー操作は一例であり、これに限定されるものではない。例えば、第１キーワード表示領域４２ｂと第２キーワード表示領域４４ｂと第２コンテンツ表示領域４３と第１コンテンツ表示領域４１との位置関係は、上述に限定されるものではない。
【０２１５】
（付記事項）
本発明に係るコンテンツ表示処理装置は、コンテンツの表示が可能な装置であれば、例えば、テレビ、携帯電話機、ＰＣ、ＰＤＡ、セットトップボックス（ＳＴＢ）などであってもよい。特に、本発明に係るコンテンツ表示処理装置は、他のサーバ装置から受信したコンテンツデータを表示処理するテレビに好適である。
【０２１６】
また、本発明に係るコンテンツ表示処理装置が表示処理するコンテンツは、テキストデータ、音声データ、画像データ、映像データ、アプリケーションまたはそれらを組み合わせたものであってもよく、また、特定のフォーマットに限定されるものではない。
【０２１７】
最後に、制御部１０・制御部１０ｂは、ＣＰＵを用いてソフトウェアによって実現してもよいし、ハードウェアロジックによって構成してもよい。ソフトウェアによって実現する場合は、コンテンツ表示処理装置１・コンテンツ表示処理装置１ｂは、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアであるコンテンツ表示処理装置１・コンテンツ表示処理装置１ｂの制御プログラムのプログラムコード（実行形式プログラム、中間コードプログラム、ソースプログラム）をコンピュータで読み取り可能に記録した記録媒体を、コンテンツ表示処理装置１・コンテンツ表示処理装置１ｂに供給し、コンテンツ表示処理装置１・コンテンツ表示処理装置１ｂ内のコンピュータ（またはＣＰＵやＭＰＵ）が記録媒体に記録されているプログラムコードを読み出し実行することによっても、達成可能である。
【０２１８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２１９】
また、コンテンツ表示処理装置１・コンテンツ表示処理装置１ｂを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４ケーブル、ＵＳＢケーブル、電力線搬送、ケーブルＴＶ回線、電話線、ＡＤＳＬ回線等の有線でも、ＩｒＤＡのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２２０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２２１】
本発明は、コンテンツを表示処理するコンテンツ表示処理装置に適用することが可能であり、特に、ユーザの操作に応じて、関連するコンテンツを次々と閲覧するコンテンツ表示処理装置に好適に利用することができる。
【図面の簡単な説明】
【０２２２】
【図１】本実施の一形態に係るコンテンツ表示処理装置の構成を示すブロック図である。
【図２】図１に示したコンテンツ表示処理装置が表示処理するコンテンツとキーワードとの対応付けのデータ構造を模式的に示す図である。
【図３】図１に示したコンテンツ表示処理装置がコンテンツデータを表示し、ユーザ操作により関連するコンテンツに切り替えて表示処理する手順を示すフローチャートである。
【図４】図１に示したコンテンツ表示処理装置がコンテンツを表示処理する画面例を示す模式図である。
【図５】図５（ａ）は、図１に示したコンテンツ表示処理装置の電源投入直後やユーザによるコンテンツ閲覧開始指示後などに初期表示する画面の一例を示す模式図である。図５（ｂ）は、図５（ａ）にて説明した画面例において、ユーザ操作により、キーワードリスト表示部を操作した後の様子を示す模式図である。図５（ｃ）は、図５（ｂ）にて説明した画面例において、ユーザ操作により、第２コンテンツ表示部を操作した後の様子を示す模式図である。図５（ｄ）は、図５（ｃ）にて説明した画面例において、ユーザ操作により、コンテンツを決定したときの画面表示の一例を示す模式図である。図５（ｅ）は、図５（ｄ）にて説明した画面例において、ユーザ操作により、キーワードリスト表示部を操作した後の様子を示す模式図である。図５（ｆ）は、図５（ｅ）にて説明した画面例において、ユーザ操作により、第２コンテンツ表示部を操作した後の様子を示す模式図である。図５（ｇ）は、図５（ｆ）にて説明した画面例において、ユーザ操作により、コンテンツを決定したときの画面表示の一例を示す模式図である。
【図６】図４にて説明した画面例において、キーワードリスト表示部に表示する初期キーワードを常に表示する例を示す模式図である。
【図７】図７（ａ）は、図４にて説明した画面例において、ユーザ操作により、初期キーワードに新たなキーワードを追加する例を示す模式図である。図７（ｂ）は、図７（ａ）にて新たなキーワードを初期キーワードに追加した後の、初期表示の画面の様子を示した模式図である。
【図８】図４にて説明した画面例において、過去に選択したキーワードの履歴を表示する例を示す模式図である。
【図９】図１に示したコンテンツ表示処理装置にて、ファイルサーバなどに蓄積されている電子ファイルを表示処理する様子を示す模式図である。
【図１０】図１に示したコンテンツ表示処理装置にて、インターネット上のブログサイトを表示処理する様子を示す模式図である。
【図１１】図１に示したコンテンツ表示処理装置にて、インターネット上の地域情報を表示処理する様子を示す模式図である。
【図１２】図１１に示した地域情報を表示する画面に辿りつく前の段階において、地域を絞り込むための画面例を示す模式図である。
【図１３】図１３（ａ）は、図１２にて示した地域の絞込みを２段階以上行う場合の、１段階目の絞込みの画面例を示す模式図である。図１３（ｂ）は、図１２にて示した地域の絞込みを２段階以上行う場合の、２段階目の絞込みの画面例を示す模式図である。
【図１４】図１４（ａ）は、図１２にて示した地域の絞込みを２段階以上行う場合の、１段階目の絞込みの他の画面例を示す模式図である。図１４（ｂ）は、図１２にて示した地域の絞込みを２段階以上行う場合の、２段階目の絞込みの他の画面例を示す模式図である。
【図１５】本実施の他の一形態に係るコンテンツ表示処理装置の構成を示すブロック図である。
【図１６】図１５に示したコンテンツ表示処理装置が表示処理する第１のキーワードと第２のキーワードとの対応付けのデータ構造を模式的に示す図である。
【図１７】図１５に示したコンテンツ表示処理装置がコンテンツデータを表示し、ユーザ操作により関連するコンテンツに切り替えて表示処理する手順を示すフローチャートである。
【図１８】図１５に示したコンテンツ表示処理装置においてコンテンツを表示処理する画面例を示す模式図である。
【図１９】図１５に示したコンテンツ表示処理装置においてコンテンツを表示処理する他の画面例を示す模式図である。
【符号の説明】
【０２２３】
１        コンテンツ表示処理装置
１ｂ      コンテンツ表示処理装置
１１      コンテンツデータ取得部
１２      表示データ生成部
１２ｂ    表示データ生成部
２１      コンテンツ記憶部
２２      付加情報記憶部
４１      第１コンテンツ表示領域
４１ｂ    第１コンテンツ表示領域
４２      キーワード表示領域
４２ｂ    第１キーワード表示領域
４３      第２コンテンツ表示領域
４４ｂ    第２キーワード表示領域
６０      入力操作部
６１      第１入力操作部（第１入力操作手段）
６２      第２入力操作部（第２入力操作手段）
６３      第３入力操作部（第３入力操作手段）
１２１    第１コンテンツ取得部（第１コンテンツ表示指示手段）
１２１ｂ  第１コンテンツ取得部（第１コンテンツ表示指示手段）
１２２    キーワード取得部（キーワード表示指示手段）
１２２ｂ  第１キーワード取得部（キーワード表示指示手段）
１２３    キーワードリスト生成部（キーワード表示指示手段）
１２３ｂ  第１キーワードリスト生成部（第１キーワード表示指示手段）
１２４    第２コンテンツ取得部（第２コンテンツ表示指示手段）
１２４ｂ  第２コンテンツ取得部（第２コンテンツ表示指示手段）
１２５    第２コンテンツリスト生成部（第２コンテンツ表示指示手段）
１２５ｂ  第２コンテンツリスト生成部（第２コンテンツ表示指示手段）
１２６ｂ  第２キーワード取得部（第２キーワード表示指示手段）
１２７ｂ  第２キーワードリスト生成部（第２キーワード表示指示手段）
１３１    第２コンテンツ選択検出部（第２コンテンツ表示指示手段）
１３１ｂ  第２コンテンツ選択検出部（第２コンテンツ表示指示手段）
１３２    キーワード選択検出部（キーワード表示指示手段）
１３２ｂ  第１キーワード選択検出部（第１キーワード表示指示手段）
１３３ｂ  第２キーワード選択検出部（第２キーワード表示指示手段）
【図１】
2009025979.tif 000003
【図２】
2009025979.tif 000004
【図３】
2009025979.tif 000005
【図４】
2009025979.tif 000006
【図５】
2009025979.tif 000007
【図６】
2009025979.tif 000008
【図７】
2009025979.tif 000009
【図８】
2009025979.tif 000010
【図９】
2009025979.tif 000011
【図１０】
2009025979.tif 000012
【図１１】
2009025979.tif 000013
【図１２】
2009025979.tif 000014
【図１３】
2009025979.tif 000015
【図１４】
2009025979.tif 000016
【図１５】
2009025979.tif 000017
【図１６】
2009025979.tif 000018
【図１７】
2009025979.tif 000019
【図１８】
2009025979.tif 000020
【図１９】
2009025979.tif 000021